(57)【要約】【課題】ユーザが完成品イメージを詳細化していない段階であっても、ユーザの希望納期に完成品が納入可能か否かを予測する。【解決手段】ネットワークシステムは、コンピュータ６０との間で製品設計処理を段階的に進めるサーバ１０を有する。サーバ１０は、製品に関する各仕様項目に設定する仕様をインターネット経由で段階的に受け付ける設計処理部１８を有する。製品の納期に対するチェック要求をコンピュータ６０から受け付けると、設計処理部１８は、前記複数の仕様項目のうち、すでに仕様を受け付けた仕様項目については、当該仕様を満たし、その他の仕様項目については、当該仕様項目について予め定められた仕様を満たす製品が、納期に納入可能な否かを表すメッセージをコンピュータ６０に返信する。【選択図】図１
2004094340.tif 000002
【特許請求の範囲】
【請求項１】
演算手段とネットワーク接続手段とを有する情報処理装置を利用して、製品の設計処理を段階的に進める設計支援方法であって、
前記製品に関する複数の仕様項目のそれぞれの仕様項目に仕様を定めるための設定データを、前記情報処理装置が、前記ネットワーク接続手段により、ネットワーク経由で、複数回に渡って受け付ける段階的な処理を含み、
前記段階的な処理には、
前記情報処理装置が、前記ネットワーク接続手段により、前記製品に定められた納期に対するチェック要求を前記ネットワーク経由で受け付ける第１ステップと、
前記複数の仕様項目のうち、当該段階的な処理の開始から前記チェック要求を受け付けるまでに受け付けた前記設定データにより仕様が定められた仕様項目については、当該仕様を満たし、その他の仕様項目については、当該仕様項目についてあらかじめ定められた仕様を満たす前記製品が、前記納期に納入可能な否かを表すメッセージを、前記情報処理装置の前記演算手段が、前記ネットワーク接続手段から、前記チェック要求の発行元に返信させる第２ステップと、
が含まれることを特徴とする設計支援方法。
【請求項２】
請求項１記載の設計支援方法であって、
前記第２ステップにおいて、前記情報処理装置の演算手段は、
仕様を表す仕様データと当該仕様を施すために要する時間を表す時間情報との対応情報から、前記複数の仕様項目のそれぞれの仕様項目に定められた仕様に合致する仕様データに対応付けられた時間情報を取り出し、前記納期に前記製品が納入可能か否かを、当該取り出した時間情報に判断する、
ことを特徴とする設計支援方法。
【請求項３】
請求項２記載の設計支援方法であって、
前記段階的な処理に含まれる各処理には、それぞれ、前記情報処理装置が、前記ネットワーク接続手段により、前記製品の納期を表す納期データを受け付けるステップを含み、
当該設計支援方法は、
前記複数の仕様項目のなかに未設定の仕様項目が存在している場合、前記情報処理装置の前記演算手段が、前記未設定の仕様項目に設定可能な仕様に合致する仕様データに前記対応情報が対応付けている時間情報に基づき、当該未設定の仕様項目に設定可能な仕様のなかから、前記段階的な処理のなかで最後に実行された処理で受け付けた納期データが表す納期に前記製品を納入可能な仕様を抽出し、当該抽出結果を通知するメッセージを、前記ネットワーク接続手段から出力することを特徴とする設計支援方法。
【請求項４】
ネットワーク上のコンピュータとの間で、製品の設計処理を段階的に進める情報処理装置であって、
前記製品に関する複数の仕様項目のそれぞれの仕様項目に仕様を定めるための設定データを、前記コンピュータから、前記ネットワーク経由で段階的に受け付けるためのデータ受付手段と、
前記製品に定められた納期に対するチェック要求を受け付けると、前記複数の仕様項目のうち、当該段階的な処理の開始から前記チェック要求を受け付けるまでに受け付けた前記設定データにより仕様が定められた仕様項目については、当該仕様を満たし、その他の仕様項目については、当該仕様項目についてあらかじめ定められた仕様を満たす前記製品が、前記納期に納入可能な否かを表すメッセージを、前記ネットワーク接続手段から、前記コンピュータに返信させる演算手段と、
を有することを特徴とする情報処理装置。
【請求項５】
請求項４記載の情報処理装置であって、
前記演算手段は、
仕様を表す仕様データと当該仕様を施すために要する時間を表す時間情報との対応情報から、前記複数の仕様項目のそれぞれの仕様項目に定められた仕様に合致する仕様データに対応付けられた時間情報を取り出し、前記納期に前記製品が納入可能か否かを、当該取り出した時間情報に基づき判断する、
ことを特徴とする情報処理装置。
【請求項６】
請求項５記載の設計支援方法であって、
前記データ受付け手段は、前記段階的な処理に含まれる各処理において、それぞれ、前記製品の納期を表す納期データを受け付け、
前記演算手段は、前記複数の仕様項目のなかに未設定の仕様項目が存在している場合に、前記未設定の仕様項目に設定可能な仕様に合致する仕様データに前記対応情報が対応付けている時間情報に基づき、当該未設定の仕様項目に設定可能な仕様のなかから、前記段階的な処理のなかで最後に実行された処理で受け付けた納期データが表す納期に前記製品を納入可能な仕様を抽出し、当該抽出結果を通知するメッセージを出力することを特徴とする情報処理装置。
【請求項７】
ネットワーク接続手段と演算手段とを有する情報処理装置に製品設計支援処理を実行させるプログラムであって、
前記製品設計支援処理には、
前記製品に関する複数の仕様項目のそれぞれの仕様項目に仕様を定めるための設定データを、前記情報処理装置が、前記ネットワーク接続手段により、ネットワーク経由で、複数回に渡って受け付ける段階的な処理を含まれ、
前記段階的な処理には、
前記情報処理装置が、前記ネットワーク接続手段により、前記製品に定められた納期に対するチェック要求を前記ネットワーク経由で受け付ける処理と、
前記複数の仕様項目のうち、当該段階的な処理の開始から前記チェック要求を受け付けるまでに受け付けた前記設定データにより仕様が定められた仕様項目については、当該仕様を満たし、その他の仕様項目については、当該仕様項目についてあらかじめ定められた仕様を満たす前記製品が、前記納期に納入可能な否かを表すメッセージを、前記情報処理装置の前記演算手段が、前記ネットワーク接続手段から、前記チェック要求の発行元に返信させる処理と、
が含まれることを特徴とするプログラム。
【請求項８】
請求項７記載のプログラムであって、
前記情報処理装置の演算手段は、
仕様を表す仕様データと当該仕様を施すために要する時間を表す時間情報との対応情報から、前記複数の仕様項目のそれぞれの仕様項目に定められた仕様に合致する仕様データに対応付けられた時間情報を取り出し、前記納期に前記製品が納入可能か否かを、当該取り出した時間情報に基づき判断する、
ことを特徴とするプログラム。
【請求項９】
請求項８記載のプログラムであって、
前記段階的な処理に含まれる各処理において、前記情報処理装置が、前記ネットワーク接続手段により、前記製品の納期を表す納期データを受け付け、
前記複数の仕様項目のなかに未設定の仕様項目が存在している場合に、前記情報処理装置の前記演算手段が、前記未設定の仕様項目に設定可能な仕様に合致する仕様データに前記対応情報が対応付けている時間情報に基づき、当該未設定の仕様項目に設定可能な仕様のなかから、前記段階的な処理のなかで最後に実行された処理で受け付けた納期データが表す納期に前記製品を納入可能な仕様を抽出し、当該抽出結果を通知するメッセージを、前記ネットワーク接続手段から出力させる、
ことを特徴とするプログラム。
【発明の詳細な説明】
【０００１】
【発明の属する技術分野】
本発明は、顧客の承認を得ながら段階的に設計を進めてゆく必要がある受注生産品の設計支援技術に関する。
【０００２】
【従来の技術】
受注生産品の納期回答に通信回線を利用する技術として、特開平７−３４８０７９号公報記載の技術が知られている。この技術によれば、ユーザ端末から注文内容が工場のシステムに送信されると、工場のシステムにおいて、その注文内容に基づく生産計画が作成され、この生産計画と各工程の生産能力とから納期が予測される。そして、その予測結果がユーザ端末に返信される。
【０００３】
【発明が解決しようとする課題】
ところが、受注生産品のなかには、比較的長期に渡って、設計者が、顧客の承認を得ながら段階的に設計を進めてゆく必要のあるものがある。このような受注生産品について、注文内容が完全に固まってから、顧客の予定通りの期日に納入が間に合わないことが判明したのでは、自己のスケジュールに合わせて設計者との打合せを進めている顧客の業務に支障が生じることがある。
【０００４】
そこで、本発明は、注文内容の検討中であっても納期を予測することができる情報処理システムを提供することを目的とする。
【０００５】
【課題を解決するための手段】
上記課題を解決するため、本発明においては、
受注生産品に関する複数の仕様項目の仕様を定める設定データを、複数回に渡って、ネットワーク経由で受け付ける段階的な処理を実行する情報処理装置が、受注生産品の納期データを含む納期チェック要求をネットワーク経由で受け付けた場合に、以下の処理を実行する。すなわち、情報処理装置は、複数の仕様項目のうち、段階的な処理の開始から納期チェック要求を受け付けるまでに受け付けた設定データにより仕様が定められた仕様項目については、当該仕様を満たし、その他の仕様項目については、当該仕様項目についてあらかじめ定められた仕様を満たす製品が、納期データの表す納期に納入可能な否かを表すメッセージを返信する。
【０００６】
【発明の実施の形態】
以下、添付の図面を参照しながら、本発明に係る実施の一形態について説明する。ただし、ここでは、インターネット上のユーザ（建築設計者）からの要求に応じて、設備設計者（エレベータ設計者）および意匠設計者（エレベータカゴ内装設計者）がエレベータの設計を段階的に進めるビジネスを一例として挙げることとする。
【０００７】
最初に、本実施の形態に係るネットワークシステムの構成について説明する。
【０００８】
図１に示すように、このネットワークシステムには、建築設計者側の情報処理システムと、設備設計者側の情報処理システムと、が含まれている。
【０００９】
建築設計者側の情報処理システムには、インターネットに接続されたＷＷＷ（ｗｏｒｌｄ　ｗｉｄｅ　ｗｅｂ）クライアントである１台以上のユーザ端末６０（以下、建築設計者用端末６０と呼ぶ）が含まれている。この建築設計者用端末６０は、ユーザの入力等に応じてプログラム実行可能な通常のハードウエア（メモリ、ソフトウエアがインストールされたハードディスク、ハードディスクからメモリにロードされたソフトウエアを実行するＣＰＵ、ハードディスクにインストールするためのソフトウエアを可搬型記憶媒体から読み出すドライブ、通信回線を介してネットワーク上の情報処理装置との間で伝送データで入出力するネットワークインタフェース等）を有する情報処理装置であり、そのハードディスクには、ＷＷＷを利用するために必要なブラウザ６１、標準プロダクトモデル対応のＣＡＤプログラム、ＯＳ（Ｏｐｅｒａｔｉｏｎ　Ｓｙｓｔｅｍ）等の各種プログラムがあらかじめインストールされている。なお、この建築設計者用端末６０には、ユーザからのデータ入力を受け付ける入力装置６２（マウス、キーボード等）、エレベータ設計支援サイトの一連のＷｅｂページ（後述）等が表示されるディスプレイ装置６３が接続されている。
【００１０】
一方、設備設計者側の情報処理システムには、インターネットに接続されたＷＷＷサーバ１０、データベースサーバ２０、複数のユーザ端末３０，４０、これらを相互に接続しているＬＡＮ５０（ｌｏｃａｌ　ａｒｅａ　ｎｅｔｗｏｒｋ）、等が含まれている。
【００１１】
ＷＷＷサーバ１０は、外部からの指示に応じてプログラム実行可能な通常のハードウエア（メモリ、ソフトウエアがインストールされたハードディスク、ハードディスクからメモリにロードされたソフトウエアを実行するＣＰＵ、ハードディスクにインストールするためのソフトウエアを可搬型記憶媒体から読み出すドライブ、通信回線を介してネットワーク上の情報処理装置との間で伝送データを入出力するネットワークインタフェース等）を有する情報処理装置であり、そのハードディスクには、ブラウザからリクエストを受け付けると利用可能なファイルをブラウザに与えるｈｔｔｐｄ（Ｈｙｐｅｒｔｅｘｔ　Ｔｒａｎｓｆｅｒ　Ｐｒｏｔｏｃｏｌ　Ｄａｅｍｏｎ）、ｈｔｔｐｄからのデータを処理するＣＧＩ（Ｃｏｍｍｏｎ　Ｇａｔｅｗａｙ　Ｉｎｔｅｒｆａｃｅ）スクリプト、ＣＧＩスクリプトによって起動されるエレベータ設計支援プログラム、ＯＳ（Ｏｐｅｒａｔｉｏｎ　Ｓｙｓｔｅｍ）、等のソフトウエアがインストールされている。なお、これらのソフトウエアは、いずれも、可搬型記憶媒体からインストールされたものであると、ネットワークを介してインストールされたものであるとを問わない。
【００１２】
さらに、ＷＷＷサーバ１０の内蔵ハードディスクには、建築設計者用端末６０のディスプレイ装置６３にエレベータ設計支援サイトの一連のＷｅｂページ（後述）を表示させるためのＨＴＭＬドキュメントも格納されている。
【００１３】
ＷＷＷサーバ１０は、これらのソフトウエアおよびＣＰＵ等のハードウエアにより実現される機能構成として、▲１▼エレベータ設計に必要な情報を建築設計者から段階的に受け付け、エレベータ設計案を建築設計者に提供する設計処理部１８、▲２▼エレベータの納期チェック依頼を建築設計者から受け付けると、建築設計者の要求を満たすエレベータの納期を建築設計者に回答する納期チェック依頼受付部１６、▲３▼エレベータの据付け構造の検討依頼を建築設計者から受け付けると、エレベータ据付図データを建築設計者側の情報処理システムから取出し可能とする据付図作図依頼受付け部１３、を有している。ここで、設計処理部１８には、▲４▼エレベータの設置建屋に関する情報（建屋の用途、建屋のフロアー数、建屋の各フロアーの居住人口等）を建築設計者から受け付けると、エレベータ機種・台数計画案を建築設計者に提供するエレベータ機種・台数計画案作成受付け部１１、▲５▼エレベータ本体についての要求仕様データを建築設計者から受け付けると、その要求仕様データに合致するエレベータのＣＡＤシンボルを建築設計者に提供するシンボル提供依頼受付け部１２、▲６▼エレベータ内装についての要求仕様データを建築設計者から受け付けると、その要求仕様データに合致する意匠図データおよびパースデータを建築設計者に提供する意匠図作図依頼受付け部１５、▲７▼エレベータ内装についての特殊な要求仕様データを建築設計者から受け付けるとともに、その要求仕様データに合致した意匠図データおよびパースデータを建築設計者に提供するデザインイメージ生成依頼受付け部１４、が含まれている。
【００１４】
データベースサーバ２０は、外部からの指示に応じてプログラムを実行可能な通常のハードウエア構成を有する情報処理装置（ソフトウエアがインストールされたハードディスク、メモリ、ハードディスクからメモリにロードされたソフトウエアを実行するＣＰＵ、ハードディスクにインストールするためのソフトウエアを可搬型記憶媒体から読み出すドライブ、通信回線を介してネットワーク上の情報処理装置との間で伝送データを入出力するネットワークインタフェース等）であり、そのハードディスクには、データベース検索等のデータベース処理が定義されたデータベース管理システムプログラム、データ通信制御プログラム、ＯＳ等がインストールされている。そして、このデータベースサーバ２０は、データベース管理システムプログラムのデータベース処理対象となる以下のデータベース２１Ａ〜２１Ｊが格納された外部記憶装置２１を有している。
【００１５】
エレベータ機種・台数計画・リードタイム情報データベース２１Ａには、建屋の用途（オフィスビル、マンション等）ごとに、その用途の建屋のために作成されたエレベータ機種・台数計画・リードタイムマップがそれぞれ登録されている。各エレベータ機種・台数計画・リードタイムマップは、いずれも、建屋のフロアー数および居住人口の組合せを検索キーとして、推奨エレベータの機種・リードタイム・台数計画情報、すなわち、推奨エレベータのカゴ容量（定員、積載荷重等）、推奨エレベータの搬送速度、推奨エレベータ本体の基本リードタイム（推奨エレベータ本体の受注から納入までに要する期間）、および、推奨エレベータの設置台数を取得することができるようになっている。例えば、オフィスビルについてのエレベータ機種・台数計画・リードタイムマップのデータ構造は、概念的に、図２のように示される。このエレベータ機種・台数計画・リードタイムマップは、オフィスビルのフロアー数２０４および居住人口２０５と、推奨エレベータ機種・台数計画・リードタイム情報（推奨エレベータのカゴ容量２００、推奨エレベータの搬送速度２０１、推奨エレベータ本体の基本リードタイム２０２、推奨エレベータの設置台数２０３）と、を対応付けている。このため、このエレベータ機種・台数計画・リードタイムマップによれば、例えば、フロアー数「１０階」および居住人口「３００人」のオフィスビルに対する推奨エレベータ機種・台数計画・リードタイム情報として、搬送速度「１０５ｍ／ｍｉｎ」、カゴ容量「９人」、エレベータ本体の基本リードタイム「１５日」、設置台数「２台」を取得することができる。なお、図２のエレベータ機種・台数計画・リードタイムマップに示した具体的な数値は、説明の便宜上、一例として入れたものに過ぎない。
【００１６】
オプション仕様標準リードタイムデータベース２１Ｂには、図３に示すように、エレベータの本体および意匠のオプション仕様項目ごとに、オプション仕様項目名３０２、仕様として選択可能なオプション仕様データ３００、エレベータにオプション仕様を施すための所要時間３０１が登録されている。このため、このオプション仕様標準リードタイムデータベース２１Ｂによれば、建築設計者が希望するオプション仕様データを検索キーとして、そのオプション仕様をエレベータに施すための所要時間、すなわち、そのオプション仕様を施した場合にエレベータ本体の基本リードタイムに付加すべき延長時間を取得することができる。例えば、オプション仕様データ「側板：アルミ」を施すために基本リードタイムに付加すべき延長時間として、「１日」を取得することができる。なお、図３に示した具体的な数値は、説明の便宜上、一例として入れたものに過ぎない。
【００１７】
顧客仕様管理データベース２１Ｃには、依頼案件ごとに、その案件に割り当てられた案件ＩＤ、その案件に関する総合仕様管理情報、その案件についての検討済み情報、付加情報（建築設計者のメールアドレス等）が登録される。
【００１８】
この顧客仕様管理データベース２１Ｃに登録された各総合仕様管理情報には、各エレベータごとに、エレベータ号数と仕様管理情報との対応情報が含まれている。図４に示すように、各エレベータの仕様管理情報４００には、建築設計者が仕様を選択することができるオプション仕様項目ごとに、それぞれ、オプション仕様項目名４０１、そのオプション仕様項目について選択された仕様の仕様データ４０２、仕様データ４０２が表す仕様をエレベータに施すための所要時間４０３が格納されている。それぞれの仕様データ４０２および所要時間４０３のフィールドには、当初、エレベータの設置建屋の用途に応じてあらかじめ定めた仕様の仕様データおよびその実現にかかる所要時間がデフォルト値として記述されているが、その後、建築設計者が、オプション仕様のなかから適当なオプション仕様を選択すると、このオプション仕様のオプション仕様データおよび所要時間が上書きされる。
【００１９】
また、図５に示すように、顧客仕様管理データベース２１Ｃに登録された各案件の検討済み情報５００には、建築設計者に順次提供される各サービスごとに、サービス名５０１、建築設計者がサービス提供を受けた日付けを表す情報（サービス提供日）５０２、サービス提供を受けるために建築設計者が提供した情報（ユーザ提供情報）５０３、サービス提供を受けることによって建築設計者が取得した情報（ユーザ取得情報）５０４が記述されている。例えば、ある案件について建築設計者が１月１５日に後述のエレベータ機種・台数計画サービスの提供を受けた場合、その案件の検討済み情報５００の、サービス名「エレベータ機種・台数計画」５０１に対応付けられた各フィールド５０２，５０３，５０４には、建築設計者がサービス提供を受けた日付「１月１５日」、建築設計者が提供した後述の建屋情報、建築設計者が取得したエレベータ機種・台数計画案・リードタイムが記述される。
【００２０】
ＣＡＤシンボル管理データベース２１Ｄには、エレベータの用途ごとに、各種エレベータのＣＡＤシンボルが登録されている。各ＣＡＤシンボルには、それぞれ、エレベータの構造上の特徴（サイズ、形状等）を表す構造情報、エレベータ設置のために確保する必要があるスペース（以下、占有スペースと呼ぶ）を表す有効スペース情報、エレベータの仕様情報（カゴ容量、ドア開き方向等）、エレベータの構成機器の型式情報、付加情報等が含まれている。
【００２１】
意匠図管理データベース２１Ｅには、エレベータの内装デザインごとに、意匠図データの格納ファイル、パースデータの格納ファイル、意匠図データおよびパースデータの作成に用いた仕様データ（天井デザインパターン、材質データ、ドア開き方向、カゴ容量）、エレベータの内装に使用する部品（組立品を含む）間の親子関係（図２２参照）を表す部品表データが登録されている。この意匠図管理データベース２１Ｅに登録されている各部品表データには、図２３に示すように、エレベータの内装に使用される部品ごとに、その部品の部品ＩＤ２３０２、最上位部品（かご）を基準とした場合におけるその部品の世代数２３０１、その部品１個当たりに使用されている各子部品に関する情報（子部品情報）２１０３、が格納されている。各子部品情報２１０３には、それぞれ、子部品の部品ＩＤ２１０３ａ、子部品の使用数量２１０３ｂ、子部品と類似する部品（類似部品）に関する情報（類似部品情報）２１０３ｃが格納されている。なお、各子部品情報に含まれている類似部品情報２１０３ｃには、子部品が標準部品（部品管理データベース２１Ｉに登録されている部品）でない場合にだけ、標準部品内から選択された類似部品の部品ＩＤ、類似部品の調達または組立てに要する日数と子部品の調達または組立てに要する日数との比率（重み係数）が格納される。
【００２２】
このような部品表データによれば、例えば、図２２に示すように、部品「＃６７５００２３」は、２つの子部品「＃６７５００２５」「＃６７５００２４」からなり、これら２つの子部品のうちの一方の子部品＃６７５００２５は、それ以上部品展開できない最小単位の部品であり、他方の子部品＃６７５００２４は、４つの子部品「＃６７５００３０」「＃６７５００３１」「＃６７５００３２」からなる、というような、部品間の親子関係を知ることができる。
【００２３】
建築図管理データベース２１Ｆには、建築設計者から建築図データを受け付けた案件ごとに、顧客仕様管理データベース２１Ｃと共通の案件ＩＤ、建築図データが登録される。
【００２４】
据付図管理データベース２１Ｇには、据付図データの作成依頼を受け付けた案件ごとに、顧客仕様管理データベース２１Ｃと共通の案件ＩＤ、完成した据付図データの格納ファイルが登録される。
【００２５】
デザイン情報管理データベース２１Ｈには、建築設計者が特殊内装仕様を希望した案件について、顧客仕様管理データベース２１Ｃと共通の案件ＩＤ、意匠図作成のために建築設計者から提供されたデザイン情報ファイルおよびその関連情報、デザイン情報ファイルおよびその関連情報を利用して作成されたパースデータの格納ファイル名、建築設計者が希望した特殊内装仕様に割り当てられたオプション仕様データ、が登録される。ここで言うデザイン情報ファイルとは、建築設計者が希望する特殊内装デザインの画像データ等が格納されたデザイン電子ファイルのことである。
【００２６】
部品管理データベース２１Ｉには、図２１に示すように、部品ごとに、部品ＩＤ２１００、部品の調達または組立てに要する日数（所要時間）２１０１、在庫数量２１０２が登録されている。
【００２７】
特急料金データベース２１Ｊには、図２６に示すように、エレベータの生産プロセスの短縮日数の範囲ごとに、その範囲を示す上下限値２６０１、その範囲の日数だけ生産プロセスが短縮された場合に加算される料金２６０２が登録されている。
【００２８】
さて、複数のユーザ端末３０，４０のなかには、エレベータの据付け設計を行う設備設計者が使用するユーザ端末３０（以下、設備設計者用端末３０と呼ぶ）と、エレベータの意匠設計を行う意匠設計者が使用するユーザ端末４０（以下、意匠設計者用端末４０と呼ぶ）とが、少なくとも１台ずつ含まれている。
【００２９】
設備設計者用端末３０は、外部からの指示に応じてプログラムを実行可能な通常のハードウエア（メモリ、ソフトウエアがインストールされたハードディスク、ハードディスクからメモリにロードされたソフトウエアを実行するＣＰＵ、ハードディスクにインストールするためのソフトウエアを可搬型記憶媒体から読み出すドライブ、通信回線を介してネットワーク上の情報処理装置との間で伝送データで入出力するネットワークインタフェース等）を有する情報処理装置であり、そのハードディスクには、標準プロダクトモデル対応のＣＡＤプログラム、エレベータの据付図データＢの作成を支援するエレベータ据付図生成支援プログラム、ＯＳ等がインストールされている。また、この設備設計者用端末３０には、ユーザからのデータ入力を受け付ける入力装置　（マウス、キーボード等）、ディスプレイ装置が接続されている。設備設計者用端末３０は、これらのプログラムおよびＣＰＵ等のハードウエアにより実現される機能構成として、▲１▼建築図データの検索をデータベースサーバ２０に要求することによって得られた建築図データＡから、エレベータの据付け構造を決定するために必要な構造特徴を抽出する建築データ読込み部３１、▲２▼建築データ読込み部３１が抽出した構造特徴に基づき干渉チェックを行う干渉チェック部３２、▲３▼建築データＡに変更が生じた場合に、変更前後の建築データの構造特徴の差分を抽出する仕様訂正管理部３３、▲４▼設備設計者が据付図を作成するための作図用エディタ（不図示）、等を有している。
【００３０】
さらに、この設備設計者用端末３０の内蔵ハードディスクには、構造特徴データベース３６が格納されている。この構造特徴データベース３６には、据付図の作図依頼があった案件ごとに、案件ＩＤ、昇降路へのエレベータ据付けに関連する３種類の建築要素（柱、壁、梁）のオブジェクトが登録される。
【００３１】
一方、意匠設計者用端末４０は、外部からの指示に応じてプログラムを実行可能な通常のハードウエア（メモリ、ソフトウエアがインストールされたハードディスク、ハードディスクからメモリにロードされたソフトウエアを実行するＣＰＵ、ハードディスクにインストールするためのソフトウエアを可搬型記憶媒体から読み出すドライブ、通信回線を介してネットワーク上の情報処理装置との間で伝送データで入出力するネットワークインタフェース等）を有する情報処理装置であり、そのハードディスクには、標準プロダクトモデルのＣＡＤプログラム、エレベータの意匠図データの作成を支援するエレベータ意匠図作成支援プログラム、ＯＳ等がインストールされている。また、この意匠設計者用端末４０には、ユーザからのデータ入力を受け付ける入力装置　（マウス、キーボード等）、ディスプレイ装置が接続されている。意匠設計者用端末４０は、これらのプログラムおよびＣＰＵ等のハードウエアによって実現される機能構成として、▲１▼依頼案件のデザイン情報ファイル等の検索をデータベースサーバ２０に要求する要求仕様読込部４１、▲２▼意匠設計者がエレベータ意匠図を作成するための作図用エディタ（不図示）、等を有している。
【００３２】
つぎに、以上説明したネットワークシステムにおいて実現されるエレベータ設計支援処理について、図６および他の図（図７〜図２６）により説明する。ここでは、サービスの提供を受けるべき建築設計者は、建築設計者用端末６０上でＣＡＤプログラムを起動し、それにより立ち上がったＣＡＤウィンドウ上でエレベータ付き建屋の建築設計を行っていることとする。
【００３３】
図６に示すように、本実施の形態に係るエレベータ設計支援処理は、建築設計者サイドから見ると、以下の５つの段階的処理（第一段階Ｓ１０００、第二段階Ｓ２０００、第三段階Ｓ３０００、第四段階Ｓ４０００、第五段階Ｓ５０００）に分けられる。
（１）第一段階（Ｓ１０００）
この第一段階（Ｓ１０００）における処理のフローチャートを図７に示す。
【００３４】
建屋には、その建屋内の交通需要に応じたエレベータが設置される必要がある。例えば、建屋の用途（オフィスビル、マンション等）によって、設置エレベータの最適な必要搬送能力は異なるし、同じ用途の建屋であっても、その建屋の高さによって、設置エレベータの最適な搬送速度は異なる。したがって、エレベータ付き建屋を建築設計している建築設計者は、前もって、そのエレベータ付き建屋の用途および居住人口に適したエレベータの機種（カゴ容量、搬送速度）および設置台数を知っておく必要がある。また、エレベータの価格には幅があるため、建築設計者は、建屋全体の予算との関係で、自己の建築設計中の建屋に適したエレベータの購入にかかる費用を、建築設計の初期段階からできるだけ正確に把握しておくことが望ましい。
【００３５】
そこで、建築設計者は、まず、建築設計者用端末６０上でブラウザ６１を起動し、エレベータ設計支援サイトのＷｅｂドキュメントのＵＲＬ（Ｕｎｉｆｏｒｍ　Ｒｅｓｏｕｒｃｅ　Ｌｏｃａｔｏｒｓ）を入力する。これにより、そのＵＲＬの示すＷｅｂドキュメントの送信リクエストが、建築設計者用端末６０上のブラウザ６１からＷＷＷサーバ１０へ送信される。ＷＷＷサーバ１０上では、ｈｔｔｔｐｄが、そのリクエストで指定されたＷｅｂドキュメントをドキュメントツリーから検索し、そのＷｅｂドキュメントを建築設計者用端末６０に返信する。これにより、建築設計者用端末６０のディスプレイ装置６３には、エレベータ設計支援サイトのトップページが表示される。図８に示すように、このトップページ６００には、案件ＩＤを入力するための案件ＩＤ入力ボックス６０１、建築設計者に対する提供サービスのアンダーライン付き名称一覧６０２〜６０５が配置されている。
【００３６】
このトップページ６００上で、建築設計者が、まず、案件ＩＤ入力ボックス６０１に何も入力せずに、提供サービス名一覧のなかから「機種・台数計画サービス」６０２をマウス等で選択すると、エレベータ設計支援サイトの建屋情報入力ページが、建築設計者用端末６０のディスプレイ装置６３上で開かれる。
【００３７】
図９（ａ）に示すように、この建屋情報入力ページ６１０には、エレベータを設置する建屋に関する情報（建屋用途、フロアー数、居住人口：以下、これらをまとめて建屋情報と呼ぶ）を入力するための各種ツールが配置されている。具体的には、エレベータの設置建屋の用途を入力するためのビル用途入力ボックス６１１、エレベータ設置建屋のフロアー数を入力するためのビル階床数入力ボックス６１２、エレベータ設置建屋の各フロアーの居住人口を入力するための居住人口入力ボックス６１３、すべての入力ボックス６１１，６１２，６１３のデータ設定を確定するためのＯＫボタン６１４、が配置されている。建築設計者が機種・台数計画サービスの提供を受けるには、これら各入力ボックス６１１，６１２，６１３に適当なデータをそれぞれ入力し、さらにＯＫボタン６１４をクリックする必要がある。ただし、各入力ボックス６１１，６１２，６１３には、それぞれ、入力データ候補が一覧表示されたプルダウンメニューを開くためのボタン６１１Ａ，６１２Ａ，６１３Ａが付属しているため、建築設計者は、各入力ボックス６１１，６１２，６１３の付属ボタン６１１Ａ，６１２Ａ，６１３Ａをクリックすることによって開かれるプルダウンメニューの一覧のなかから、各入力ボックスへの入力データとして適当な入力データ候補を選択するだけでよい。例えば、建屋用途入力ボックス６１１の付属ボタン６１１Ａがクリックされると、エレベータの設置建屋の標準的な用途（オフィスビル、官庁ビル、マンション等）が一覧表示されたプルダウンメニュー６１１ａが開かれる。建築設計者は、このプルダウンメニュー６１１ａの建屋用途一覧のなかから適当な建屋用途を１つ選択することによって、建屋用途入力ボックス６１１への入力データを決定すればよい。
【００３８】
建築設計者が、これら各入力ボックス６１１，６１２，６１３へのデータ入力を完了してから、さらにＯＫボタン６１４をクリックすると、各入力ボックス６１１，６１２，６１３内の設定データを含むデータ検索要求がＷＷＷサーバ１０へ送られる（Ｓ１００１）。
【００３９】
ＷＷＷサーバ１０の機種・台数計画依頼受付け部１１は、このデータ検索要求を受け付けると、そのなかから建屋情報（建屋用途、フロアー数、居住人口）を取り出し、この建屋情報を検索キーとしたデータベース検索をデータベースサーバ２０に要求する。この要求に応じて、データベースサーバ２０は、機種・台数計画・リードタイムデータベース２１Ａを検索し、検索キーの１つ（建屋用途）に対応付けられたエレベータ機種・台数計画・リードタイムマップ（図２参照）のなかから、残り２つの検索キー（フロアー数および居住人口）に対応付けられたエレベータ機種・台数計画・リードタイム情報を取得する。そして、このとき得られたエレベータ機種・台数計画・リードタイム情報を返信する（Ｓ１００２）。
【００４０】
ＷＷＷサーバ１０の機種・台数計画依頼受付け部１１は、そのエレベータ機種・台数計画・リードタイム情報を含むＨＴＭＬドキュメントを建築設計者用端末６０に返信する。これにより、建築設計者用端末６０のディスプレイ装置６３には、エレベータ設計支援サイトのエレベータ機種・台数計画案表示ページが開かれる。図９（ｂ）に示すように、このエレベータ機種・台数計画案表示ページ６２０上には、ＷＷＷサーバ１０からのエレベータ機種・台数計画・リードタイム情報のうち、建築設計者指定の建屋用途、エレベータの推奨カゴ容量、エレベータの推奨搬送速度、および、エレベータの推奨設置台数が、エレベータ機種・台数計画案６２１として表示される（Ｓ１００３）。このエレベータ機種・台数計画案６２１を参照することによって、建築設計者は、自己の建築設計中の建屋に適したエレベータ機種・台数計画案を把握することができる。
【００４１】
あわせて、このエレベータ機種・台数計画案表示ページ６２０上には、エレベータの納期チェック指示を受け付ける納期チェック指示ボタン６２２、現在表示中のエレベータ機種・台数計画案等を保存するか否かを建築設計者に問うメッセージ６２４、メッセージ６２４に対する返答を受け付ける２つのアンダーライン付き文字「Ｙ」「Ｎ」６２３も表示されている。ここで、建築設計者は、以下に示すように、エレベータ納期をチェックする必要があれば、納期チェック指示ボタン６２２をクリックし、エレベータ納期をチェックする必要がなければ、２つのアンダーライン付き文字「Ｙ」「Ｎ」６２３のうちのいずれか一方をクリックすればよい。
【００４２】
ここで、エレベータ納期チェックを必要とする建築設計者が、エレベータ機種・台数計画案表示ページ６２０上の納期チェック指示ボタン６２２をクリックすると（Ｓ１００４）、建築設計者用端末６０のディスプレイ装置６３には、エレベータ設計支援サイトのエレベータ希望納期入力ページが開かれる。図１０（ａ）に示すように、このエレベータ希望納期入力ページ６４０上には、エレベータの希望納期を入力するための日付入力ボックス６４１ａ，６４１ｂ，６４１ｃ、日付入力ボックス６４１ａ，６４１ｂ，６４１ｃのデータ設定を確定するためのＯＫボタン６４２、が配置されている。建築設計者が、このエレベータ希望納期入力ページ６４０上において、各日付入力ボックス６４１ａ，６４１ｂ，６４１ｃへ日付データを入力してから、さらにＯＫボタン６４２をクリックすると、各入力ボックス６４１ａ，６４１ｂ，６４１ｃ内の設定データと建屋情報と基本リードタイムとを含む納期チェック要求が建築設計者用端末６０からＷＷＷサーバ１０に送信され、以下のエレベータ納期チェック処理（Ｓ１００５）が実行される。
【００４３】
ＷＷＷサーバ１０の納期チェック依頼受付部１６は、各種建屋用途ごとに、それぞれ、仕様管理情報４００と同じデータ構造の仕様管理情報作成用構造体データを保持している。それらの構造体データに含まれている各仕様項目の仕様データおよび所要時間のフィールドには、対応する建屋用途の建屋に設置される標準的なエレベータの仕様の仕様データおよび所要時間が初期値としてそれぞれ記述されている。ＷＷＷサーバ１０の納期チェック依頼受付部１６は、建築設計者用端末６０から納期チェック要求を受け付けると、その納期チェック要求に含まれていた建屋情報の建屋用途に対応する仕様管理情報作成用構造体データから所要時間をすべて取り出す。そして、ＷＷＷサーバ１０の納期チェック依頼受付部１６は、このとき取り出したすべての所要時間を、納期チェック要求に含まれていた基本リードタイムに加算し、この加算値をエレベータのリードタイムとする。そして、ＷＷＷサーバ１０の納期チェック依頼受付部１６は、建築設計者用端末６０からの納期チェック要求に含まれていた日付データが示す日付から現在までの期間Ｔ１と、エレベータのリードタイムＴ２との差分Ｔ１−Ｔ２を算出する。その結果得られた差分値の符号が正であれば、その差分値分の日数の余裕があるため納期設定に問題がない旨のメッセージを、設置台数分のエレベータのリードタイムとともに建築設計者用端末６０に送信する。その反対に、差分値の符号が負であれば、その差分値の絶対値分の日数が不足するため納期設定に問題がある旨のメッセージを、エレベータのリードタイムとともに建築設計者用端末６０に送信する。
【００４４】
これにより、建築設計者用端末６０のディスプレイ装置６３上には、エレベータ設計支援サイトの納期回答ページが開かれる。図１０（ｂ）に示すように、この納期回答ページ７２０上には、エレベータのリードタイム７２１と、エレベータの納期設定に問題があるか否かを示すメッセージ７２２とが表示されるとともに、ＯＫボタン７２３が配置される。図１０（ｂ）においては、納期回答ページ７２０上の表示メッセージ７２２の例として、希望納期から現在までの期間Ｔ１とエレベータのリードタイムＴ２との差分Ｔ１−Ｔ２の符号が正であった場合のメッセージ、すなわち、発注までに差分値分の日数の余裕があるため納期設定に問題がない旨のメッセージを挙げているが、希望納期から現在までの期間Ｔ１とエレベータのリードタイムＴ２との差分Ｔ１−Ｔ２の符号が負であった場合には、日数不足のため納期設定に問題がある旨のメッセージが納期回答ページ７２０上に表示される。
【００４５】
この納期回答ページ７２０上の表示データを参照することによって、建築設計者は、自己の建築設計中の建屋に適したエレベータのリードタイムを確認することができるとともに、自己の希望納期までにエレベータの納入が可能か否かを確認することができる。また、建築設計者は、自己の希望納期までにエレベータの納入が可能な場合には、さらに、何日後までに発注を済ませる必要があるのかを確認することができる。このような確認を終えた建築設計者が、納期回答ページ７２０上でさらにＯＫボタン７２３をクリックすると、建築設計者用端末６０のディスプレイ装置６３上には、再度、エレベータ機種・台数計画案表示ページ６２０が開かれる。
【００４６】
一方、エレベータの納期チェックを必要としない建築設計者が、エレベータ機種・台数計画案表示ページ６２０上の納期チェック指示ボタン６２２をクリックせずに（Ｓ１００４）、エレベータ機種・台数計画案表示ページ６２０上の２つのアンダーライン付き文字「Ｙ」「Ｎ」６２３のうちのいずれか一方の文字をクリックすると（Ｓ１００６）、以下に示すように、クリックした文字の種類に応じた処理が実行される。なお、すでにエレベータのリードタイム等を確認した建築設計者が、再表示されたエレベータ機種・台数計画案表示ページ６２０上で２つのアンダーライン付き文字「Ｙ」「Ｎ」６２３のうちのいずれか一方をクリックした場合にも（Ｓ１００６）、同様な処理が実行される。
【００４７】
エレベータ機種・台数計画案表示ページ６２０上の一方のアンダーライン付き文字「Ｎ」がクリックされると（Ｓ１００６）、再度、図８のトップページ６００が建築設計者用端末６０のディスプレイ装置６３上で開かれ、それまで表示されていたエレベータ機種・台数計画案等の情報が建築設計者用端末６０上から失われる（Ｓ１００９）。表示中のエレベータ機種・台数計画案がその後の建築設計作業に不要であると判断した場合、建築設計者は、ここで（Ｓ１００６）、エレベータ機種・台数計画案表示ページ６２０上のアンダーライン付き文字「Ｎ」をクリックすればよい。
【００４８】
これに対して、エレベータ機種・台数計画案表示ページ６２０上の他方のアンダーライン付き文字「Ｙ」がクリックされると（Ｓ１００６）、エレベータ機種・台数計画案・リードタイム情報および建屋情報を含むデータ保存要求が建築設計者用端末６０からＷＷＷサーバ１０に送信され、現在表示中のエレベータ機種・台数計画案・リードタイム情報および建屋用途を保存するための以下の処理（Ｓ１００７）が実行される。表示中のエレベータ機種・台数計画案等がその後の建築設計作業に必要と判断した場合、建築設計者は、ここで（Ｓ１００６）、エレベータ機種・台数計画案表示ページ６２０上のアンダーライン付き文字「Ｙ」をクリックする必要がある。
【００４９】
ＷＷＷサーバ１０の機種・台数計画依頼受付け部１１は、エレベータ機種・台数計画案・リードタイム情報および建屋情報を含むデータ保存要求を受け付けると、それに含まれていた建屋用途に対応する仕様管理情報作成用構造体データを、エレベータ台数分、仕様管理情報として含む総合仕様管理情報を作成する。そして、この総合仕様管理情報と、データ保存要求に含まれていた情報（エレベータ機種・台数計画案・リードタイム情報、建屋情報）と、現在の日付とを含むデータベース登録要求をデータベースサーバ２０に送信する。この要求に応じて、データベースサーバ２１は、それらの情報を顧客仕様管理データベース２１Ｃに新規登録する。これにより、総合仕様管理情報は、新規案件ＩＤに対応付けられた総合仕様管理情報として登録され、その他の情報（現在の日付、建屋情報、エレベータ機種・リードタイム・台数計画案）は、新規案件ＩＤに対応付けられた検討済み情報５００に含まれる情報５０２，５０３，５０４として登録される（Ｓ１００７）。
【００５０】
顧客仕様管理データベース２１Ｃへの新規登録が終了すると、このとき登録した新規案件ＩＤが、データベースサーバ２０からＷＷＷサーバ１０を介して建築設計者用端末６０に返信される。これにより、建築設計者用端末６０のディスプレイ装置６３上には、エレベータ設計支援サイトの案件ＩＤ確認ページが開かれる（Ｓ１００８）。図９（ｃ）に示すように、この案件ＩＤ確認ページ６３０上には、建築設計者の依頼案件に割り当てられた新規案件ＩＤ６３１、ＯＫボタン６３２が表示されている。建築設計者が、新規案件ＩＤ６３１を確認してからＯＫボタン６３２をクリックすると、建築設計者用端末６０のディスプレイ装置６３上でエレベータ設計支援サイトのトップページ６００が再度開かれるとともに、今回提供されたサービスのサービス名「機種・台数計画サービス」および案件ＩＤ６３１が建築設計者用端末６０のブラウザ６１によって保存される。
【００５１】
このように、本実施の形態に係るエレベータ設計支援処理の第一段階によれば、建築設計者は、建屋の建築設計の初期段階において決定可能な建屋情報（建屋の用途、建屋のフロアー数、各フロアーの居住人口）を入力すれば、エレベータに関する詳細な情報を何も入力しなくても、建築設計中の建屋の用途について標準的な内外装を備えたエレベータのリードタイムを容易に知ることができる。すなわち、自己が建築設計中の建屋にエレベータを設置するかどうかを検討しているような、エレベータに関する詳細なイメージを持っていない段階であっても、建築設計者は、自己が建築設計中の建屋に設置するエレベータのリードタイムとして現実性のある値を把握することができる。
【００５２】
また、建築設計者は、自己の希望納期にエレベータの納入を受けるには何日後までに発注までに済ませる必要があるのかを知ることができるため、エレベータの発注までに済ませておく必要のある処理の猶予期間を把握することができる。（２）第二段階（Ｓ２０００）
この第二段階（Ｓ２０００）における処理全体のフローチャートを図１１に示す。
【００５３】
建築設計者は、エレベータ機種・台数計画案を決定した後に、さらに建屋の建築設計を進めて、エレベータの納まりを検討する段階にまできたら、再度、自己の建築設計者用端末１６０とＷＷＷサーバ１０とのコネクションを確立し、自己の建築設計者用端末６０のディスプレイ装置６３上でエレベータ設計支援サイトのトップページ６００（図８参照）を開く。
【００５４】
前回のサーバアクセスにより得たエレベータ機種・台数計画案に基づき検討を進める建築設計者が、前回のサーバアクセス時に発行された案件ＩＤを案件ＩＤ入力ボックス６０１に入力してからリターンキーを押すと、トップページ６００上のテキストがそのスタイルを変化させる。具体的には、トップページ６００上の提供サービス名一覧のうち、入力案件ＩＤに対応付けて保存中のサービス名「エレベータ機種・台数計画サービス」６０２の次に表示されているサービス名、すなわち、建築設計者が次に提供を受けるべきサービスのサービス名「エレベータＣＡＤシンボル提供サービス」６０３が強調表示される。これにより、建築設計者は、前回のサーバアクセスから相当時間経過していても、今回のサーバアクセスで最初に受けるべきサービスを一見して把握することができる。
【００５５】
そのあと、建築設計者が、提供サービス「エレベータＣＡＤシンボル提供サービス」６０３をマウス等で選択すると、案件ＩＤ入力ボックス６０１に入力された案件ＩＤを検索キーとするデータベース検索が、ＷＷＷサーバ１１を介してデータベースサーバ１２に要求される。この要求に応じて、データベースサーバ１２は、検索キー（案件ＩＤ）に対応付けられた検討済み情報５００を顧客仕様管理データベース２１Ｃから取り出し、それを返信する（Ｓ２１００）。
【００５６】
この返信データを受け付けた建築設計者用端末６０のディスプレイ装置６３上には、エレベータ設計支援サイトのエレベータ仕様入力ページが開かれる。図１２に示すように、このエレベータ仕様入力ページ６５０上には、返信データにユーザ提供情報として含まれていた建屋用途６５１Ａおよびフロア数６５１Ｂが表示されるとともに、設置台数分のエレベータのそれぞれについて、エレベータの用途を入力するための入力ボックス６５２、エレベータ本体の仕様データを設定するための仕様入力ボックスが配置される。ここでは、仕様入力ボックスの具体例として、ドア開き方向の入力を受け付けるためのドア開き方向入力ボックス６５３、カゴ容量の入力を受け付けるためのカゴ容量入力ボックス６５４、トランクを設置するか否かの別の入力を受け付けるためのトランク有無入力ボックス６５５、搬送速度の入力を受け付けるための搬送速度入力ボックス６５６、カウンターウエイトの位置の入力を受け付けるためのカウンターウエイト位置入力ボックス６５７を挙げてある。
【００５７】
建築設計者は、このエレベータ仕様入力ページ６５０上に配置された入力ボックス６５２〜６５７にそれぞれ適当な仕様データを設定する必要がある。ただし、各エレベータの２つの入力ボックス６５４，６５６には、返信データのユーザ取得情報に含まれていたエレベータ機種・台数計画案・リードタイム情報のカゴ容量および搬送速度がすでに設定されているため、建築設計者は、ここで、各エレベータ用の他の入力ボックス６５２，６５３，６５５，６５７に適当な仕様データを設定するだけでよい（Ｓ２２００）。
【００５８】
また、このエレベータ仕様入力ページ６５０上にはさらにシンボル表示ボタン６５８が配置されており、建築設計者が、各エレベータ用の入力ボックスへのデータ設定を終えてから、そのシンボル表示ボタン６５８をクリックすると、各設置エレベータの入力ボックス内の設定データを含むＣＡＤシンボル検索要求がＷＷＷサーバ１０に送られる。ＷＷＷサーバ１０のシンボル提供依頼受付け部１２は、このＣＡＤシンボル検索要求を受け付けると、それに含まれていた各エレベータについての設定データを検索キーとするデータベース検索をデータベースサーバ２０にそれぞれ要求する。これらの要求のそれぞれに応じて、データベースサーバ２０は、検索キーのうちの１つ（用途）に対応付けられているＣＡＤシンボルのうち、他の検索キー（ドア開き方向、カゴ容量、トランク設置の有無、搬送速度、カウンターウエイト位置）が仕様情報に合致するＣＡＤシンボルをＣＡＤシンボルデータベース２１Ｄから取りだし、それをＷＷＷサーバ１１に返信する（Ｓ２３００）。
【００５９】
ＷＷＷサーバ１０は、これらの返信データを受け付けると、それらに含まれていたＣＡＤシンボルを建築設計者用端末６０に送信する。これにより、建築設計者用端末６０のディスプレイ装置６３上には、エレベータ設計支援サイトのエレベータシンボル表示ページが開かれる（Ｓ２４００）。図１３に示すように、このエレベータシンボル表示ページ６６０上には、エレベータ仕様入力ページ６５０に表示されていた建屋用途６６６Ａおよびフロア数６６６Ｂとともに、エレベータ仕様入力ページ６５０上で各エレベータについて設定されたデータ（エレベータ用途、ドア開き方向、カゴ容量、トランク有無、搬送速度、カウンターウエイト位置）６６２が表示されている。さらに、これらの設定データ６６２によって検索された各エレベータのＣＡＤシンボル６６１、すなわち、建築設計者の要求仕様に合致した各エレベータの構造および有効スペースがパラメトリック表現で表示されている。建築設計者は、このＣＡＤシンボル６６１を、ドラッグ・アンド・ドロップで、ＣＡＤウィンドウ上で作成中の建築設計図に配置することによって、自己の要求仕様を満たすエレベータが周辺建築要素と干渉を起こすか否かを、一見して確認することができる。例えば、建築設計図上の周辺建築要素（柱、壁等）にＣＡＤシンボル６６１が重なり合えば、建築設計者は、自身の要求仕様を満たすエレベータが、建築設計図上の昇降路内に納まりきらないものであると判断し、作成中の建築設計図上の昇降路寸法を再検討する必要性を認識することができる。
【００６０】
また、このエレベータシンボル表示ページ６６０上には、エレベータ納期チェックの指示を受け付ける納期チェック指示ボタン６６３、現在表示中のＣＡＤシンボルおよび関連情報等を保存するか否かを建築設計者に問うメッセージ６６４、メッセージ６６４に対する返答を受け付ける２つのアンダーライン付き文字「Ｙ」「Ｎ」６６５が表示されている。建築設計者は、以下に示すように、表示中のエレベータの納期チェックを必要とする場合であれば納期チェック指示ボタン６６３をクリックし、表示中のエレベータの納期チェックを必要としない場合であれば２つのアンダーライン付き文字「Ｙ」「Ｎ」６６５のうちのいずれか一方をクリックすればよい。
【００６１】
ここで、エレベータの納期チェックを必要とする建築設計者が、納期チェック指示ボタン６６３をクリックすると（Ｓ２５００）、建築設計者用端末６０のディスプレイ装置６３には、図１０（ａ）に示したエレベータ希望納期入力ページ６４０が開かれる。建築設計者が、このエレベータ希望納期入力ページ６４０上において、各日付入力ボックス６４１ａ，６４１ｂ，６４１ｃへ日付データを入力してから、さらにＯＫボタン６４２をクリックすると、各日付入力ボックス６４１ａ，６４１ｂ，６４１ｃ内の設定データと、エレベータシンボル表示ページ６６０における設定データ６６２と、トップページ６００上で入力済みの案件ＩＤとを含む納期チェック要求が、建築設計者用端末６０からＷＷＷサーバ１０に送信される。これにより、図１４に示す以下のエレベータ納期チェック処理（Ｓ２６００）が実行されるため、建築設計者は、エレベータについての要求仕様が完全には決定していない段階であっても、その時点までに固まっている要求仕様が反映されたエレベータのリードタイムを知ることができる。
【００６２】
建築設計者用端末６０から納期チェック要求を受け付けたＷＷＷサーバ１０の納期チェック依頼受付部１６は、その納期チェック要求に含まれていた案件ＩＤを検索キーとするデータベース検索をデータベースサーバ２０に要求する。このデータベース要求に応じて、データベースサーバ２０は、顧客仕様管理データベース２１Ｃを検索し、検索キー（案件ＩＤ）に対応付けられた総合仕様管理情報を取得する。そして、データベースサーバ２０は、このとき得られた総合仕様管理情報をＷＷＷサーバ１０に返信する（Ｓ２６０１）。
【００６３】
ＷＷＷサーバ１０の納期チェック依頼受付部１６は、データベースサーバ２０からの返信データを受け付けると、その返信データに含まれていた総合仕様管理情報内の各エレベータの仕様管理情報４００をそれぞれ修正する。具体的には、エレベータ仕様入力ページ６５０上で各エレベータについて設定したデータ（エレベータ用途、ドア開き方向、カゴ容量、トランク有無、搬送速度、カウンターウエイト位置）のうち、オプション仕様項目の仕様データに該当するものを、そのエレベータの仕様管理情報４００の所定のオプション仕様項目の仕様データ４０２に上書きする（Ｓ２６０２）。例えば、トランクを設置するか否の別を表す仕様データが、オプション仕様項目「トランク」の仕様データに該当する場合であれば、各エレベータの仕様管理情報４００に含まれている、オプション仕様項目「トランク」の仕様データには、それぞれ、そのエレベータにトランクを設置するか否かを表す仕様データが上書きされる。
【００６４】
その後、ＷＷＷサーバ１０の納期チェック依頼受付部１６は、各エレベータの仕様管理情報４００からすべての仕様データを取り出し、それらの仕様データを検索キーとするデータベース検索をデータベースサーバ２０に要求する。この要求に応じて、データベースサーバ２０は、各検索キーに対応付けられた所要時間３０１をオプション仕様標準リードタイムデータベース２１Ｂからそれぞれ取り出し、それらをＷＷＷサーバ１０に返信する（Ｓ２６０３）。
【００６５】
ＷＷＷサーバ１０の納期チェック依頼受付部１６は、この返信データを受付けると、その返信データに含まれていた所要時間をエレベータごとに集計する。そして、検討済み情報５００に含まれていた基本リードタイムを各集計値にそれぞれ加算し、それらの加算値をエレベータ各機のリードタイムとする（Ｓ２６０４）。そして、ＷＷＷサーバ１０の納期チェック依頼受付部１６は、建築設計者用端末６０からの納期チェック要求に含まれていた日付データが示す日付から現在までの期間Ｔ１と、エレベータ各機のリードタイムのうちで最大のリードタイムＴ２との差分Ｔ１−Ｔ２を算出する（Ｓ２６０５）。その結果得られた差分値の符号が正であれば、発注までに差分値分の日数の余裕があるため納期設定に問題がない旨のメッセージを、エレベータ各機のリードタイムとともに建築設計者用端末６０に送信する。その反対に、差分値の符号が負であれば、その差分値の絶対値分の日数が不足するため納期設定に問題がある旨のメッセージを、エレベータのリードタイムとともに建築設計者用端末６０に送信する（Ｓ２６０６）。
【００６６】
これにより、建築設計者用端末６０のディスプレイ装置６３上には、図１０（ｂ）に示した納期回答ページ７２０と同様なレイアウトの納期回答ページが開かれる（Ｓ２００６）。ただし、このとき開かれる納期回答ページ上には、エレベータ各機のリードタイムが、エレベータの納期設定に問題があるか否かを示すメッセージとともに表示される。建築設計者が、この納期回答ページ上でエレベータ各機のリードタイムおよびメッセージ内容を確認してから、さらにＯＫボタンをクリックすると、建築設計者用端末６０のディスプレイ装置６３上には、再度、エレベータシンボル表示ページ６６０が開かれる。
【００６７】
一方、エレベータの納期チェックを必要としない建築設計者が、エレベータシンボル表示ページ６６０上の納期チェック指示ボタン６６３をクリックせずに（Ｓ２５００）、エレベータシンボル表示ページ６６０上の２つのアンダーライン付き文字「Ｙ」「Ｎ」６６５のうちのいずれか一方の文字をクリックすると（Ｓ２７００）、以下に示すように、クリックした文字に応じた処理が実行される。なお、すでにリードタイム等を確認した建築設計者が、再表示されたエレベータシンボル表示ページ６６０上の２つのアンダーライン付き文字「Ｙ」「Ｎ」６６５のうちのいずれか一方の文字をクリックした場合も、同様な処理が実行される。
【００６８】
エレベータシンボル表示ページ６６０上の一方のアンダーライン付き文字「Ｎ」がクリックされると（Ｓ２７００）、再度、トップページ６００が建築設計者用端末６０のディスプレイ装置６３上で開かれ、それまで表示されていたＣＡＤシンボルおよび設定データ等の情報が建築設計者用端末６０上から失われる（Ｓ２９００）。したがって、例えば、エレベータのリードタイム等の参照によって、エレベータ本体についての要求仕様を再検討する必要があると判断した場合等には、建築設計者は、ここで、エレベータシンボル表示ページ６６０上の一方のアンダーライン付き文字「Ｎ」をクリックすればよい。
【００６９】
これに対して、エレベータシンボル表示ページ６６０上の他方のアンダーライン付き文字「Ｙ」がクリックされると（Ｓ２７００）、トップページ６００で入力済みの案件ＩＤ、エレベータシンボル表示ページ６６０上に表示中のＣＡＤシンボルおよび設定データを含むデータ保存要求が建築設計者用端末６０からＷＷＷサーバ１０に送信され、そらの情報を保存するための以下の処理（Ｓ２８００）が実行される。したがって、表示中のＣＡＤシンボルがその後の建築設計作業に必要と判断した場合には、建築設計者は、ここで、エレベータシンボル表示ページ６６０上のアンダーライン付き文字「Ｙ」をクリックする必要がある。
【００７０】
ＷＷＷサーバ１０のシンボル提供依頼受付け部１２は、建築設計者用端末６０からデータ保存要求を受け付けると、それに含まれていた案件ＩＤを検索キーとするデータベース検索をデータベースサーバ２０に要求する。データベースサーバ２０は、この要求を受け付けると、検索キー（案件ＩＤ）に対応付けられた総合仕様管理情報を顧客仕様管理データベース２１Ｃから取り出す。そして、データベースサーバ２０は、このとき得られた総合仕様管理情報をＷＷＷサーバ１０に返信する。
【００７１】
つぎに、ＷＷＷサーバ１０のシンボル提供依頼受付け部１２は、データ保存要求に含まれていた各エレベータの設定データのうち、オプション仕様項目の仕様データに該当するものを検索キーとするデータベース検索をデータベースサーバ２０に要求する。この要求に応じて、データベースサーバ２０は、各検索キーに対応付けられた所要時間３０１をオプション仕様標準リードタイムデータベース２１Ｂからそれぞれ取り出し、それらをＷＷＷサーバ１０に返信する。ＷＷＷサーバ１０のシンボル提供依頼受付け部１２は、この返信データを受け付けると、それに含まれていた所要時間と、それらの検索キーとして用いられた仕様データとによって、総合仕様管理情報の各仕様管理情報を修正する。具体的には、各エレベータごとに、それぞれ、オプション仕様標準リードタイムデータベース２１Ｂから取り出された所要時間およびその検索キーとして用いられた仕様データを、仕様管理情報４００の所定仕様項目の所要時間４０３および仕様データ４０３に上書きする。
【００７２】
その後、ＷＷＷサーバ１０のシンボル提供依頼受付け部１２は、この総合仕様管理情報のデータベース登録をデータベースサーバ２０に要求する。この要求に応じて、データベースサーバ２０は、顧客仕様管理データベース２１Ｃに登録されている総合仕様管理情報群のうち、データ保存要求に含まれていた案件ＩＤに対応する総合仕様管理情報を、新たな総合仕様管理情報で更新する。
【００７３】
また、ＷＷＷサーバ１０のシンボル提供依頼受付け部１２は、データ保存要求に含まれていた各エレベータの設定データおよびＣＡＤシンボル、現在の日付のデータベース登録をデータベースサーバ２０に要求する。この要求に応じて、データベースサーバ２０は、顧客仕様管理データベース２１Ｃに登録されている検討済み情報群のうち、データ保存要求に含まれていた案件ＩＤに対応する検討済み情報５００に、それらの情報を登録する。これにより、データ保存要求に含まれていた案件ＩＤに対応する検討済み情報５００の、サービス名「エレベータＣＡＤシンボル提供」５０１に対応付けられた各フィールド５０２，５０３，５０４には、サービス提供日、ユーザ提供情報、ユーザ取得情報として、現在の日付、各エレベータの設定データ（エレベータ用途、ドア開き方向、カゴ容量、トランク有無、搬送速度、カウンターウエイト位置）、各エレベータのＣＡＤシンボルが記述される。
【００７４】
このようにして顧客仕様管理データベース２１Ｃのデータ更新が終了すると、その旨のメッセージが、データベースサーバ２０から、ＷＷＷサーバ１１を介して建築設計者用端末６０に送信される。このメッセージを受け付けた建築設計者用端末６０側では、エレベータ設計支援サイトのトップページ（図８参照）がディスプレイ装置６３上で再度開かれるとともに、今回提供されたサービスのサービス名「エレベータＣＡＤシンボル提供サービス」が建築設計者用端末６０のブラウザ６１によって保存される。
【００７５】
このように、本実施の形態に係るエレベータ設計支援処理の第二段階によれば、建築設計者は、自己の建築設計中の建屋に設置するエレベータ本体の仕様が完全には決まっていない段階であっても、その時点までに決まっている要求仕様が反映された標準的なエレベータ各機のリードタイムを知ることができる。このため、建築設計者は、エレベータ各機について現時点までに決めてある要求仕様を、建屋の建築設計の進度との兼ね合いで変更する必要があるかどうかを検討することができる。その結果、エレベータの仕様が完全に決まってしまってから、建築設計者の希望納期にエレベータ納入が間に合わないことが判明するような事態の発生を防止することができる。
（３）第三段階（Ｓ３０００）
この第三段階（Ｓ３０００）における処理のフローチャートを図１５に示す。
【００７６】
建築設計者は、その後の建築設計の過程において、設備設計者に据付図作成を依頼することができる段階にまできたら、再度、自己の建築設計者用端末６０とＷＷＷサーバ１０とのコネクションを確立して、自己の建築設計者用端末６０のディスプレイ装置６３上でエレベータ設計支援サイトのトップページ６００を開く。
【００７７】
前回のサーバアクセス時に保存しておいたＣＡＤシンボルを用いて建築図データを作成した建築設計者が、トップページ６００上の案件ＩＤ入力ボックス６０１に案件ＩＤを入力してからリターンキーを押すと、トップページ６００上のテキストがそのスタイルを変化させる。具体的には、トップページ６００上の提供サービス名一覧のうち、入力案件ＩＤに対応付けられて保存中のサービス名「エレベータＣＡＤシンボル提供サービス」６０３の次に表示されているサービス名、すなわち、建築設計者が次に提供を受けるべきサービスのサービス名「エレベータ据付図作図サービス」６０４が強調表示となる。これにより、建築設計者は、前回のサーバアクセスから相当時間経過していても、今回のサーバアクセスで最初に受けるべきサービスを一見して把握することができる。
【００７８】
ここで、建築設計者が、提供サービス「エレベータ据付図作図サービス」６０４を選択すると、案件ＩＤを含む検討済み情報検索要求が、ＷＷＷサーバ１０に送信される。ＷＷＷサーバ１０の据付図作図依頼受付け部１３は、この検討済み情報検索要求を受け付けると、それに含まれていた案件ＩＤを検索キーとするデータベース検索をデータベースサーバ２０に要求する。この要求に応じて、データベースサーバ２０は、検索キー（案件ＩＤ）に対応付けられた検討済み情報５００を顧客仕様管理データベース２１Ｃから取り出し、それを返信する（Ｓ３００１）。
【００７９】
この返信データを受け付けた建築設計者用端末６０には、エレベータ設計支援サイトの据付図作図依頼ページが開かれる。図１６に示すように、この据付図作図依頼ページ６７０には、案件ＩＤ６７１が表示されるほか、エレベータの設置台数を入力するためのエレベータ設置台数入力ボックス６７４、エレベータ設置建屋の用途を入力するための建屋用途入力ボックス６７２、エレベータ設置ビルのフロアー数を入力するためのビル階床数入力ボックス６７３、各エレベータの本体の仕様（カゴ容量、搬送速度、ドア開き方向、カウンターウエイト位置）を入力するための入力ボックス６７５、建築図データのファイル名を入力するための建築図データ入力ボックス６７６、据付図の希望納期（日付）を入力するための作図納期入力ボックス６７７、各入力ボックスの設定データの送信を指示するための送信ボタン６７８が配置されている。この据付図作図依頼ページ６７０上の各入力ボックス６７２〜６７７にそれぞれデータが設定される必要があるが、この場合、建築図データ入力ボックス６７６および作図納期入力ボックス６７７以外の入力ボックス６７２〜６７５には、すでにデフォルトデータ（返信データに含まれていた検討済み情報のユーザ提供情報）が設定されている。したがって、建築設計者は、建築図データ入力ボックス６７６および作図要期入力ボックス６７７に適当なデータを設定するだけでよい。
【００８０】
ここで、建築設計者が、建築図データ入力ボックス６７６および作図納期入力ボックス６７７に適当なデータを設定してから、さらに送信ボタン６７８をクリックすると、表示中の案件ＩＤと、建築図データ入力ボックス６７６内のファイル名に該当する建築図データファイルと、その他の入力ボックス６７２，６７３，６７４，６７５，６７７内の設定データとを含む据付図作図要求がＷＷＷサーバ１０へ送信される（Ｓ３００２）。
【００８１】
ＷＷＷサーバ１０は、この据付図作図要求を受け付けると、それに含まれていた建築図データファイルおよび案件ＩＤのデータベース登録をデータベースサーバに要求する。これに応じて、データベースサーバ２０は、それら建築図データファイルと案件ＩＤとを対応付けて建築図管理データベース２１Ｆに登録し、ＷＷＷサーバ１０にデータベース登録終了を通知する（Ｓ３００３）。
【００８２】
ＷＷＷサーバ１０の据付図作図依頼受付け部１３は、この通知を受け取ると、建築データファイル名、案件ＩＤおよび納期を通知する設備設計者宛て電子メールの配信をネットワーク上のメールサーバに要求する。設備設計者は、この電子メールを参照することによって、依頼案件の存在およびその納期等を知り、その後、適当な時期が到来したら、案件ＩＤを含む所定のコマンドを自己の設備設計者用端末３０に入力する。これにより、設備設計者用端末３０上で以下の処理が実行される。
【００８３】
まず、建築データ読込み部３１は、案件ＩＤを含むデータベース検索をデータベースサーバ２０に要求することによって、その案件ＩＤに対応付けられた建築図データファイルを建築図管理データベース２１Ｆから取得する（Ｓ３００４）。
【００８４】
つぎに、建築データ読込み部３１は、この建築図データファイルに格納された建築図データが表す建築図上に、１つのＣＡＤシンボルの位置を原点とし、かつ、そのＣＡＤシンボルの正面方向（エレベータ内部からドアに向かう方向）をＹ方向とする新たな３次元直交座標系を定義する。そして、昇降路内にでっぱる可能性のある３種類の建築要素（柱、壁、梁）、すなわち、各ＣＡＤシンボルの近傍に存在する３種類の建築要素（柱、壁、梁）のオブジェクトを建屋の各階ごとに抽出し、それらのオブジェクトを案件ＩＤとともに特徴構造データベース３６に登録する建築データ読込み部３１は、このとき抽出した３種類の建築要素のオブジェクトのうち、各階の壁オブジェクトと原点のＣＡＤシンボルとの平行性をチェックし、原点のＣＡＤシンボルに対して各階の壁オブジェクトが傾いていたら、その傾きに応じた回転角だけ、建築図上の全オブジェクトを回転移動させる。また、原点のＣＡＤシンボルに対して他のＣＡＤシンボルが傾いていたら、その傾きに応じた回転角だけ、原点以外のＣＡＤシンボルを建築図上で回転移動させる。これにより、建築図上にドラッグ・アンド・ドロップでＣＡＤシンボルが配置されたことに起因する、建築図データの誤差が修正される（Ｓ３００５）。
【００８５】
つぎに、干渉チェック部３２が、Ｓ３００５で特徴構造として抽出された各オブジェクトの座標に基づき、それらのオブジェクトが、各ＣＡＤシンボルの表す占有スペースに食い込んでいないかどうかを判断する（Ｓ３００６）。
【００８６】
ここで、いずれかのエレベータの占有スペースに食い込んだオブジェクトがあれば、干渉チェック部３２は、エレベータと周辺建築要素とが干渉を起こすと判断し、その旨を通知する建築設計者宛て電子メールの配信をネットワーク上のメールサーバに要求する。この電子メールの着信により、建築設計者は、エレベータと周辺建築要素との間に干渉が起こることを認識することができる。このため、ただちに、作成中の建築図データの変更を検討することができる。そして、建築設計者が、自己のユーザ端末６０から設備設計者用端末３０に修正後の建築図データを送信すると、建築データ読込み部３１が、修正後の建築図データから特徴構造を抽出し、仕様訂正管理部３３が、今回抽出された特徴構造と前回抽出された特徴構造（特徴構造データベース３６に格納されている特徴構造）との差分を抽出する（Ｓ３００７）。そして、今度は、この差分に該当するオブジェクトに関してのみ干渉の有無を再チェックする（Ｓ３００６）。
【００８７】
一方、いずれのエレベータの占有スペースにもオブジェクトが食い込んでいなければ、干渉チェック部３２は、エレベータと周辺建築要素とが干渉を起こさないと判断し、その旨を出力する。設備設計者は、この出力を確認してから、自己の設備設計者用端末３０上で据付図の作成を開始することによって、エレベータとその周辺建築要素とが適切な位置関係にあるか否かを確認する手間を省くことできる。したがって、設備設計者は、ＣＡＤシンボルが表すエレベータの取付構造の強度計算を行い、ＣＡＤシンボルが表すエレベータの各構成機器を建築図上に配置を行うだけで、建築設計者から依頼された据付図データを完成させることができる（Ｓ３００８）。
【００８８】
設備設計者は、建築設計者から依頼された据付図データを完成させると、その据付図データが格納されたファイルと案件ＩＤとを据付図管理データベース２１Ｇに登録するとともに、顧客仕様管理データベース２１Ｃに登録されているその案件の検討済み情報５００に、現在の日付け、据付図の作成に使用した建築図データファイル名、据付図データファイル名を、サービス名「エレベータ意匠図作図サービス」５０１に対応付けられた各フィールド５０２，５０３，５０４の情報として登録する必要がある（Ｓ３００９）。さらに、設備設計者は、据付図完成を通知する電子メールを、据付図作図依頼元に宛てて送信する必要がある（Ｓ３０１０）。
【００８９】
そして、建築設計者は、電子メールの着信によって据付図データの完成を知ると、その据付図データをダウンロードするため、自己の建築設計者用端末６０上でブラウザを起動し、図１７に示すような据付図ダウンロードページ６８０を自己の建築設計者用端末のディスプレイ装置６３上で開く。この据付図ダウンロードページ６８０上には、案件ＩＤを入力するための案件入力ボックス６８２、据付図データのダウンロードを指示するためのアンダーライン付き文字列６８１、が配置されている。
【００９０】
この据付図ダウンロードページ６８０上で、建築設計者が、案件ＩＤを案件入力ボックス６８１に入力し、さらにアンダーライン付き文字列６８２をクリックすると、今回提供されたサービスのサービス名「エレベータ据付図作図サービス」と案件入力ボックス６８１内の案件ＩＤとが建築設計者用端末６０のブラウザ６１によって保存されるとともに、案件入力ボックス６８１内の案件ＩＤを含む据付図検索要求がＷＷＷサーバ１０に送信される。ＷＷＷサーバ１０の据付図作図依頼受付け部１３は、この据付図検索要求を受け付けると、それに含まれていた案件ＩＤを検索キーとするデータベース検索をデータベースサーバ２０に要求する。これに応じて、データベースサーバ２０は、その案件ＩＤに対応付けられた据付図データファイルを据付図管理データベース２１Ｇから取りだす。そして、この据付図データファイルが建築設計者用端末６０にダウンロードされる。これにより、建築設計者は、自己の要求仕様が反映された１台または複数台のエレベータを建屋に適切に据え付けるための据付図を得ることができる。
【００９１】
なお、この第三段階の処理においては、新たな要求仕様データを建築設計者が設定していないため、エレベータのリードタイムが第二段階で得られる値から変化しないと仮定し、エレベータの納期チェックを行わないこととしている。しかし、実際には、設備設計者が据付け図を作成している段階で、エレベータのリードタイムが増減することもある。そこで、第二段階で算出されたリードタイムを、据付け図作成中に設備設計者が必要に応じて適宜修正することにして、その修正後のリードタイムが建築設計者端末６０に送信されるようにしてもよい。このようにする場合、エレベータの納期チェック指示を建築設計者から受け付けるための納期チェック指示ボタンは、例えば据付図ダウンロードページ６８０に設けられていればよい。
（４）第四段階（Ｓ４０００）
この第四段階（Ｓ４０００）における処理のフローチャートを図１８に示す。
【００９２】
建築設計者は、据付図データが完成すると、今度は、エレベータの内装仕様の検討を行う必要がある。そのために、建築設計者は、再度、自己の建築設計者用端末６０とＷＷＷサーバ１０とのコネクションを確立して、自己の建築設計者用端末６０のディスプレイ装置６３上でエレベータ設計支援サイトのトップページ６００を開く必要がある。
【００９３】
設備設計者用端末３０で作成された据付図データを入手した建築設計者が、トップページ６００上の案件ＩＤ入力ボックス６０１に案件ＩＤを入力してからリターンキーが押すと、トップページ６００上のテキストがそのスタイルを変化させる。具体的には、トップページ６００上の提供サービス名一覧のうち、入力案件ＩＤに対応付けられている保存中のサービス名「エレベータ据付図作図サービス」６０４の次に表示されているサービス名、すなわち、建築設計者が次に提供を受けるべきサービスのサービス名「エレベータ意匠図作図サービス」６０５が強調表示となる。これにより、建築設計者は、今回のサーバアクセスで最初に受けるべきサービスを容易に把握することができる。
【００９４】
ここで、建築設計者が、提供サービス一覧から、希望の提供サービス「エレベータ意匠図作図サービス」６０５を選択すると、トップページ６００上で入力された案件ＩＤを含む検索要求が、ＷＷＷサーバ１１を介してデータベースサーバ１２に送られる。この要求に応じて、データベースサーバ１２は、検索キー（案件ＩＤ）に対応付けられた検討済み情報５００を顧客仕様管理データベース２１Ｃから取り出し、それを、ＷＷＷサーバ１１を介して返信する（Ｓ４０１０）。
【００９５】
この返信データを受け付けた建築設計者用端末６０のディスプレイ装置１３０には、エレベータ設計支援サイトのエレベータ意匠仕様検討ページが開かれる。図１９に示すように、この意匠仕様検討ページ６９０上には、トップページ６００で入力された案件ＩＤ６９１Ａ、検討済み情報のうちの所定の情報（ここでは、建屋用途６９１Ｂ、建屋のフロア数６９１Ｃ、エレベータ１号機についての既定の仕様データ６９１Ｄ）が表示されるほか、エレベータ１号機の内装仕様データを設定するためのツール、例えば、エレベータの天井デザインタイプを選択するためのアイコン群６９２、エレベータの側板材質を選択するためのリストボックス６９３、エレベータの床材質を選択するためのリストボックス６９４、ハンドレールの取付け有無および材質を選択するための２つのチェックボタン６９５Ａおよびリストボックス６９５Ｂ、次のエレベータの内装仕様データの設定処理に進むためのボタン６９６が配置されている。このエレベータ意匠仕様検討ページ６９０上には、さらに、エレベータの納期チェックを指示するための納期チェック指示ボタン６９７、各エレベータの内装仕様データ等を保存するか否かを建築設計者に問うメッセージ、メッセージに対する返答を受け付ける２つのアンダーライン付き文字「Ｙ」「Ｎ」６９８も配置されているが、この段階において、これらは、非アクティブ状態になっている。
【００９６】
建築設計者が、このエレベータ意匠仕様検討ページ６９０上で、エレベータ１号機の内装仕様データの設定を行ってからボタン６９６をクリックすると、エレベータ１号機についての既定の仕様データ６９１Ｄの代わりに、エレベータ２号機についての既定の仕様データが表示され、それまでエレベータ１号機の内装仕様データを設定するためのものであったツール６９２，６９３，６９４，６９５Ａ，６９５Ｂ，６９６が、エレベータ２号機の内装仕様データを設定するためのツールとなる。このようにして、建築設計者が、各エレベータの内装仕様データを順次設定すると（Ｓ４０２０）、いずれかのエレベータの内装仕様データのなかに、特殊天井デザインタイプの指定または特殊材質の指定が含まれているか否かが判断される（Ｓ４０３０）。
【００９７】
その結果、特殊天井デザインタイプおよび特殊材質のうちの少なくともいずれか一方の指定が含まれていれば、その後の処理が、後述の第五段階（Ｓ５０００）に移行する。
【００９８】
一方、特殊天井デザインタイプおよび特殊材質のいずれの指定も含まれていなければ、各エレベータのカゴ容量と、各エレベータのドア開き方向と、各エレベータの内装仕様データ（天井デザインタイプ名、材質データ、ハンドレール取付の有無等）とを含む検索要求が建築設計者端末６０からＷＷＷサーバ１０に送信される。なお、設置エレベータが１機だけである場合には、建築設計者が、エレベータ意匠仕様検討ページ６９０上で、エレベータ１号機の内装仕様データの設定を行ってからボタン６９６をクリックすると、エレベータ１号機についての既定の仕様データ６９１Ｄ等の表示が変化せずに、ただちにエレベータ１号機について設定された内装仕様データ等を含む検索要求が建築設計者端末６０からＷＷＷサーバ１０に送信される。
【００９９】
ＷＷＷサーバ１０の意匠図作図依頼受付け部１５は、この検索要求を受け付けると、各エレベータごとに、カゴ容量、ドア開き方向および内装仕様データ（材質データ、天井デザインタイプ名、ハンドレール取付の有無等）を検索キーとするデータベース検索をデータベースサーバ２０に要求する。この要求を受け付けたデータベースサーバ２０は、その要求に含まれているデータ（カゴ容量、ドア開き方向、内装仕様データ）に対応付けられたパースデータファイルを意匠図管理データベース２１Ｆから取り出し、それを返信する（Ｓ４０４０）。
【０１００】
これにより、建築設計者用端末６０のディスプレイ装置６３上に開かれていたエレベータ意匠仕様検討ページ６９０上には、図２０に示すように、エレベータ１号機についての既定の仕様データ６９１Ｄが再表示されるほか、返信データに含まれていたエレベータ１号機のパースデータ６９９がグラフィカルに表示される。建築設計者が、このエレベータ意匠仕様検討ページ６９０上でボタン６９６をクリックするごとに、表示中のパースデータ６９９等に代えて、つぎのエレベータのパースデータ６９９等が表示される。そして、最後のエレベータのパースデータ６９９等が表示されると、納期チェック指示ボタン６９７および２つのアンダーライン付き文字「Ｙ」「Ｎ」６９８がアクティブ状態となる（Ｓ４０５０）。なお、設置エレベータが１機だけであれば、そのエレベータのパースデータ６９９が表示されたときに、すでに、納期チェック指示ボタン７９７および２つのアンダーライン付き文字「Ｙ」「Ｎ」７９８がアクティブ状態となっている。
【０１０１】
ここで、建築設計者は、以下に示すように、エレベータの納期チェックを必要とする場合であれば、納期チェック指示ボタン６９７をクリックし、エレベータの納期チェックを必要としない場合であれば、２つのアンダーライン付き文字「Ｙ」「Ｎ」６９８のいずれか一方をクリックすればよい。
【０１０２】
エレベータの納期チェックを必要とする建築設計者が、エレベータ意匠仕様検討ページ６９０上の納期チェック指示ボタン６９７をクリックすると（Ｓ４０６０）、建築設計者用端末６０のディスプレイ装置６３には、エレベータ希望納期入力ページが開かれる。図１０（ａ）のエレベータ希望納期入力ページとは異なり、ここで開かれるエレベータ希望納期入力ページには、エレベータの希望納期を入力するための日付入力ボックス６４１ａ，６４１ｂ，６４１ｃがエレベータごとに配置されている。そこで、建築設計者が、エレベータ各号機ごとに納期を入力ボックスへ入力してから、さらにＯＫボタンをクリックすると、各入力ボックス内の設定データと、トップページ６００で入力済みの案件ＩＤと、エレベータ意匠仕様検討ページ６９０上で各エレベータごとに設定した内装仕様データとを含む納期チェック要求が建築設計者用端末６０からＷＷＷサーバ１０に送信され、以下のエレベータ納期チェック処理（Ｓ４０７０）が実行される。これにより、建築設計者は、自己の要求仕様を満たす内装を有するエレベータ各機のリードタイムを知ることができる。
【０１０３】
ＷＷＷサーバ１０の納期チェック依頼受付部１６は、建築設計者用端末６０から納期チェック要求を受け付けると、この要求に含まれていた案件ＩＤを検索キーとするデータベース検索をデータベースサーバ２０に要求する。この要求に応じて、データベースサーバ２０は、検索キー（案件ＩＤ）に対応付けられた総合仕様管理情報および検討済み情報５００を顧客仕様管理データベース２１Ｃから取り出して、それらを返信する。
【０１０４】
ＷＷＷサーバ１０の納期チェック依頼受付部１６は、データベースサーバ２０からの返信データを受け付けると、その返信データに含まれていた総合仕様管理情報内の各エレベータの仕様管理情報４００をそれぞれ修正する。具体的には、エレベータ意匠仕様検討ページ６９０上で各エレベータについて設定した内装仕様データを、そのエレベータの仕様管理情報４００の所定のオプション仕様項目の仕様データ４０２に上書きする。例えば、各エレベータの仕様管理情報４００のオプション仕様項目「床材」の仕様データ４０２には、それぞれ、建築設計者がそのエレベータの床材質について選択した仕様データを上書きする。
【０１０５】
その後、ＷＷＷサーバ１０の納期チェック依頼受付部１６は、各エレベータの仕様管理情報４００に記述されている仕様データを検索キーとするデータベース検索をデータベースサーバ２０に要求する。この要求に応じて、データベースサーバ２０は、各検索キーに対応付けられた所要時間３０１をオプション仕様標準リードタイムデータベース２１Ｂからそれぞれ取り出し、それらをＷＷＷサーバ１０に返信する。
【０１０６】
ＷＷＷサーバ１０の納期チェック依頼受付部１６は、この返信データを受付けると、その返信データに含まれていた所要時間をエレベータごとに集計する。そして、検討済み情報５００に含まれていた基本リードタイムを各集計値にそれぞれ加算し、それらの加算値をエレベータ各機のリードタイムとする。そして、ＷＷＷサーバ１０の納期チェック依頼受付部１６は、エレベータごとに、建築設計者用端末６０からの納期チェック要求に含まれていた納期から現在までの期間Ｔ１とリードタイムＴ２との差分Ｔ１−Ｔ２を算出する。その結果得られた差分値の符号が正であったエレベータについては、差分値分の日数の余裕があるため納期設定には問題がない旨のメッセージを生成する。これに対して、差分値の符号が負であったエレベータについては、差分値分の日数が不足するため納期設定に問題がある旨のメッセージを作成する。そして、各エレベータについて作成したメッセージを、各エレベータのリードタイムとともに建築設計者用端末６０に送信する。
【０１０７】
これにより、建築設計者用端末６０のディスプレイ装置６３上には、納期表示ページが開かれる。図２５（ａ）に示すように、この納期表示ページには、各エレベータごとに、納期設定に関するメッセージ７０１とリードタイム７０４とが表示される。さらに、この納期表示ページ７００上には、エレベータ納期の詳細チェックを行うか否かを建築設計者に問うメッセージ７０２と、このメッセージ７０２に対する返答を受け付けるための２つのアンダーライン付き文字「Ｙ」「Ｎ」７０３とが配置されている。
【０１０８】
エレベータ納期の詳細チェックを必要としない建築設計者が、この納期表示ページ７００上で、２つのアンダーライン付き文字「Ｙ」「Ｎ」７０３のうちの一方の文字「Ｎ」をクリックすると、建築設計者用端末６０のディスプレイ装置６３上には、再度、意匠仕様検討ページ６９０が開かれる。
【０１０９】
その反対に、エレベータ納期の詳細チェックを必要とする建築設計者が、この納期表示ページ７００上で、２つのアンダーライン付き文字「Ｙ」「Ｎ」７０３のうちの他方の文字「Ｙ」をクリックすると、エレベータ希望納期入力ページ６４０上でエレベータごとに設定された納期と意匠仕様検討ページ６９０に表示されていた仕様データ（カゴ容量、ドア開き方向、内装仕様データ）を含む納期詳細チェック要求が建築設計者用端末６０からＷＷＷサーバ１０に送信される。これにより、図２４に示す以下のエレベータ納期詳細チェック処理が実行される。
【０１１０】
ＷＷＷサーバ１０の納期チェック依頼受付け部１６は、納期詳細チェック要求を受け付けると、この納期詳細チェック要求に含まれていた仕様データ（カゴ容量、ドア開き方向、内装仕様データ）を検索キーとするデータベース検索を各エレベータごとにデータベースサーバ２０に要求する。この要求を受け付けたデータベースサーバ２０は、その要求に含まれているデータに対応付けられた部品表データを意匠図管理データベース２１Ｆから取り出し、それらを返信する（Ｓ４０７１）。
【０１１１】
ＷＷＷサーバ１０の納期チェック依頼受付け部１６は、各エレベータの部品表データを受け付けると、各部品表データが表す親子関係における最上位部品を、納期詳細チェック要求に含まれていた日付データが示す納期までに仕上げるには、下位の部品がそれぞれいつまでに調達されている必要があるのかを算出する（Ｓ４０７２，４０７３）。
【０１１２】
そのためには、納期チェック依頼受付け部１６は、各エレベータを処理対象エレベータとして、それぞれ、以下の処理（Ｓ４０７２）を実行する。
処理対象エレベータの部品表データから最上位部品の部品ＩＤ（世代数「０」に対応付けられた部品ＩＤ２３０２）を読み出し、その部品ＩＤに合致する部品ＩＤ２１００に対応付けられた在庫数量２１０２を部品管理データベース２１Ｉから取り出す。
【０１１３】
その在庫数量が１以上であれば、その在庫数量よりも１少ない値で部品管理データベース２１Ｉの在庫数量を更新してから、処理対象エレベータの納期（＝処理対象エレベータの調達／完成期限）を、処理対象エレベータの調達手配／組立て着手期限、処理対象エレベータの全構成部品の調達／完成期限および調達手配／組立て着手期限として保持する。そして、Ｓ４０７３に処理を進める。
【０１１４】
一方、在庫数量の値が０であれば、以下の処理を実行する。
【０１１５】
最上位部品の部品ＩＤに対応付けられた調達／組立て日数２１０１を部品管理データベース２１Ｉから取り出し、処理対象エレベータの納期から、その調達／組立て日数だけさかのぼった日付を最上位部品の各子部品（世代数「１」の部品）の調達／完成期限として保持する。
【０１１６】
このようにして、最上位部品の各子部品の調達／完成期限が定まったら、今度は、世代をさかのぼりながら以下の処理を繰り返し実行することによって、処理対象エレベータのすべての構成部品の調達／完成期限および調達手配／組立て着手期限を定める。
【０１１７】
まず、親部品の世代数に対応付けられた子部品情報２１０３を処理対象エレベータの部品表データから取り出す。そして、このとき取り出された各子部品情報から子部品ＩＤ２１０３ａおよび使用数量２１０３ｂを取り出し、それらの子部品ＩＤに合致する部品ＩＤ２１００に対応付けられた在庫数量２１０２を部品管理データベース２１Ｉで検索する。これにより、子部品のうち、標準部品であるものについては、その在庫数量が取り出される。
【０１１８】
このとき在庫数量を取り出すことができなかった子部品については、この子部品の部品ＩＤを子部品ＩＤとして含んでいた子部品情報２１０３から、類似部品情報２１０３ｃの類似部品ＩＤおよび重み係数を取り出す。そして、この類似部品ＩＤに合致する部品ＩＤ２１００に対応付けられた調達／組立て日数２１０１を部品管理データベース２１Ｉから取り出す。さらに、このとき取り出された調達／組立て日数２１００と重みと使用数量２１０３ｂとの積を算出し、この子部品の調達／完成期限が示す日付から、その積の値に相当する日数だけだけさかのぼった日付を、この子部品の調達手配／組立て着手期限として保持する。そして、この子部品を起点とする下位部品が存在していれば、この子部品の調達手配／組立て着手期限を、この子部品の１つ下位部品の調達／完成期限として保持する。
【０１１９】
在庫数量を取り出すことができた子部品のうち、在庫数量が使用数量以上であったものについては、その在庫数量値より使用数量だけ少ない値で部品管理データベース２１Ｉの在庫数量を更新するとともに、この子部品の調達／完成期限を、この子部品の調達手配／組立て着手期限として保持する。そして、この子部品を起点とする下位部品が存在していれば、この子部品の調達／完成期限を、この子部品を起点とするすべての下位部品の調達／完成期限および調達手配／組立て着手期限として保持する。
【０１２０】
また、在庫数量を取り出すことができた子部品のうち、在庫数量値が使用数量値よりも小さいものについては、部品管理データベース２１Ｉの在庫数量の値を「０」に更新するとともに、この子部品の部品ＩＤ２１００に対応付けられた調達／組立て日数２１０を部品管理データベース２１Ｉから取り出し、この子部品の調達／完成期限が示す日付から、調達／組立て日数と使用数量１２１０３ｂとの積に相当する日数だけさかのぼった日付を、この子部品の調達手配／組立て着手期限として保持する。そして、この子部品を起点とする下位部品が存在していれば、この子部品の調達手配／組立て着手期限を、この子部品の１つ下位部品の調達／完成期限として保持する。
このような処理と世代をさかのぼりながら実行することによって、処理対象エレベータのすべての構成部品の調達／完成期限および調達手配／組立て着手期限が定まったら、Ｓ４０７３に処理を進める。
【０１２１】
Ｓ４０７３においては、処理対象エレベータが最後のエレベータかどうかを判断する。その結果、処理対象エレベータが最後のエレベータでなければ、次のエレベータを処理対象として同様な処理（Ｓ４０７２）を実行する。一方、処理対象エレベータが最後のエレベータであれば、各エレベータごとに、最小部品の調達手配／組立て着手期限の示す日付のうち、対象エレベータの納期から最も離れた日付（生産開始日）が、現在よりも未来の日付であるか否かを判断する。
【０１２２】
その結果、生産開始日が現在よりも未来の日付または現在と同日のエレベータが存在していたら、そのエレベータについては、納期設定に問題がない旨のメッセージを生成するとともに、生産開始日から現在までの期間を、処理対象エレベータの発注までの猶予期間として算出する。
【０１２３】
また、生産開始日が現在よりも過去の日付のエレベータが存在したら、そのエレベータについては、生産開始日から現在までの期間を納期遅れとして算出し、納期遅れ分の日数を含む範囲２６０１に対応付けられた加算金額２６０２を特急料金データベース２１Ｊから取り出すとともに、納期遅れ分の日数だけ納期よりも遅い日付を納期変更情報として算出する。さらに、納期設定に納期遅れ分の無理があるために、変更納期情報が表す日付に納期を変更するか、特急料金データベース２１Ｊから取り出した加算料金を特急料金として支払う必要がある旨のメッセージを生成する。
【０１２４】
そして、各エレベータの納期、各エレベータについて生成したメッセージ、各エレベータの構成部品の部品ＩＤおよび使用数量、各エレベータについて得た調達／完成期限および調達手配／組立て着手期限、各エレベータの発注までの猶予期間（または、不足期間、特急料金および納期変更情報）、現在の日付を含むＨＴＭＬドキュメントを建築設計者用端末６０に送信する（Ｓ４０７４）。
【０１２５】
これにより、建築設計者用端末６０のディスプレイ装置６３には、エレベータ設計支援サイトの納期詳細チェック結果表示ページが開かれる。図２５（ｂ）または図２７に示すように、この納期詳細チェック結果表示ページ７１０上には、エレベータ１号機の納期設定についてのメッセージ７１２、エレベータ１号機の発注までの猶予期間（または、エレベータ１号機の納期遅れ）７１９、エレベータ１号機の納期および現在を含む日付け目盛りが横軸上にとられた生産スケジュール表７１１が表示される。ここで表示される生産スケジュール表７１１には、現在の日付に対応するアイコン７１５ａおよび納期に対応するアイコン７１５ｂが横軸上に示されるとともに、エレベータ１号機の各構成部品の調達手配／組立て着手期限から調達／完成期限までの期間（工程の稼動期間）が、部品の部品ＩＤおよび使用数量（不図示）に対応付けられたバー７１４で表されている。さらに、この納期詳細チェック結果表示ページ７１０上には、次号機についての納期チェック結果を表示させるためのボタン７１３が表示されている。建築設計者が、このボタン７１３をクリックすると、エレベータ１号機についてのメッセージ等の代わりに、エレベータ２号機についてのメッセージ等が表示される。
【０１２６】
このようにして、建築設計者が、各エレベータについての納期チェック結果を順次確認しながら、最後のエレベータについての納期チェック結果が表示された納期詳細チェック結果表示ページ上でボタン７１３をクリックすると、建築設計者用端末６０のディスプレイ装置６３上には、再度、エレベータ意匠仕様検討ページ６９０（図２０参照）が開かれる。
【０１２７】
なお、ここでは、各エレベータごとに、納期設定についてのメッセージ７１４および生産スケジュール表７１１を納期詳細チェック結果表示ページ上に表示しているが、図２８に示すように、各エレベータの納期設定についてのメッセージ７１４のみを表示するようにしてもよい。
【０１２８】
一方、エレベータの納期チェックを必要としない建築設計者が、エレベータ意匠仕様検討ページ６９０上の納期チェック指示ボタン６９７をクリックせずに（Ｓ４０６０）、エレベータ意匠仕様検討ページ６９０上の２つのアンダーライン付き文字「Ｙ」「Ｎ」６９８のうちのいずれか一方の文字をクリックすると（Ｓ４０８０）、以下に示すように、クリックした文字に応じた処理が実行される。なお、Ｓ４０７０で納期チェック結果を確認した建築設計者が、再表示されたエレベータ意匠仕様検討ページ６９０上の２つのアンダーライン付き文字「Ｙ」「Ｎ」６９８のうちのいずれか一方の文字をクリックした場合も、同様な処理が実行される。
【０１２９】
エレベータ意匠仕様検討ページ６９０上の一方のアンダーライン付き文字「Ｎ」がクリックされると（Ｓ４０８０）、再度、トップページ６００が建築設計者用端末６０のディスプレイ装置６３上で開かれ、それまで表示されていたエレベータパースおよび内装仕様データ等の情報が建築設計者用端末６０上から失われる（Ｓ４０１０）。したがって、例えば、エレベータの納期チェック結果の参照によって、各エレベータの内装についての要求仕様を再検討する必要があると判断した場合等には、建築設計者は、ここで、エレベータ意匠仕様検討ページ６９０上の一方のアンダーライン付き文字「Ｎ」をクリックすればよい。
【０１３０】
これに対して、エレベータ意匠仕様検討ページ６６０上の他方のアンダーライン付き文字「Ｙ」がクリックされると（Ｓ４０８０）、トップページ６００で入力済みの案件ＩＤと、各エレベータのパースデータファイル名と、各エレベータの内装仕様データとを含むデータ保存要求が建築設計者用端末６０からＷＷＷサーバ１０に送信され、それらの情報を保存するための以下の処理（Ｓ４０９０）が実行される。したがって、表示中の各内装仕様データがその後の建築設計作業に必要と判断した建築設計者は、ここで、エレベータ意匠仕様検討ページ６９０上のアンダーライン付き文字「Ｙ」をクリックする必要がある。
【０１３１】
ＷＷＷサーバ１０の意匠図作図依頼受付け部１５は、建築設計者用端末６０からデータ保存要求を受け付けると、それに含まれていた案件ＩＤを検索キーとするデータベース検索をデータベースサーバ２０に要求する。データベースサーバ２０は、この要求を受け付けると、検索キー（案件ＩＤ）に対応付けられた総合仕様管理情報を顧客仕様管理データベース２１Ｃから取り出す。そして、データベースサーバ２０は、このとき得られた総合仕様管理情報をＷＷＷサーバ１０に返信する。
【０１３２】
つぎに、ＷＷＷサーバ１０の意匠図作図依頼受付け部１５は、データ保存要求に含まれていた各内装仕様データ（側板材質データ、床材質データ、天井デザインタイプ名、ハンドレール取付の有無等）を検索キーとするデータベース検索をデータベースサーバ２０に要求する。この要求に応じて、データベースサーバ２０は、各検索キー（内装仕様データ）に対応付けられた所要期間３０１をオプション仕様標準リードタイムデータベース２１Ｂからそれぞれ取り出し、それらをＷＷＷサーバ１０に返信する。ＷＷＷサーバ１０の意匠図作図依頼受付け部１５は、この返信データを受け付けると、それに含まれていた所要期間と、その検索キーとして用いられた内装仕様データとによって、総合仕様管理情報の各仕様管理情報４００を修正する。具体的には、各エレベータごとに、それぞれ、オプション仕様標準リードタイムデータベース２１Ｂから取り出された所要期間およびその検索キーとして用いられた内装仕様データを、仕様管理情報４００の所定仕様項目の所要期間４０３および仕様データ４０３に上書きする。
【０１３３】
その後、ＷＷＷサーバ１０の意匠図作図依頼受付け部１５は、この総合仕様管理情報のデータベース登録をデータベースサーバ２０に要求する。これに応じて、データベースサーバ２０は、顧客仕様管理データベース２１Ｃに登録されている総合仕様管理情報群のうち、データ保存要求に含まれていた案件ＩＤに対応する総合仕様管理情報を、新たな総合仕様管理情報で更新する。
【０１３４】
また、ＷＷＷサーバ１０の意匠図作図依頼受付け部１５は、データ保存要求に含まれていた各エレベータの情報（パースデータファイル名、内装仕様データ）と現在の日付とのデータベース登録をデータベースサーバ２０に要求する。これに応じて、データベースサーバ２０は、顧客仕様管理データベース２１Ｃに登録されている検討済み情報群のうち、データ保存要求に含まれていた案件ＩＤに対応する検討済み情報５００に、それらの情報を登録する。これにより、データ保存要求に含まれていた案件ＩＤに対応する検討済み情報５００には、サービス名「エレベータ意匠図作図サービス」５０１に対応付けられた各フィールドに、現在の日付、各エレベータの内装仕様データ（天井デザインタイプ名、材質データ、ハンドレール取付の有無等）、各エレベータのパースデータファイル名が、サービス提供日５０２、ユーザ提供情報５０３、ユーザ取得情報５０４として記述される。
【０１３５】
このようにして顧客仕様管理データベース２１Ｃのデータ更新が終了すると、その旨のメッセージが、データベースサーバ２０から、ＷＷＷサーバ１１を介して建築設計者用端末６０に送信される。このメッセージを受け付けた建築設計者用端末６０側では、図１７に示した据付図ダウンロードページとほぼ同様なレイアウトの意匠図ダウンロード画面が開かれる。建築設計者が、この意匠図ダウンロード画面上において、案件ＩＤ入力ボックスに案件ＩＤを入力してから、据付図データのダウンロードを指示するためのアンダーライン付き文字列をクリックすると、案件ＩＤを含む意匠図検索要求がＷＷＷサーバ１０に送信される。ＷＷＷサーバ１０の意匠図作図依頼受付け部１５は、この要求を受け付けると、それに含まれていた案件ＩＤを検索キーとするデータベース検索をデータベースサーバ２０に要求する。これに応じて、データベースサーバ２０は、その案件ＩＤに対応付けられた検討済み情報５００を顧客仕様管理データベース２１Ｃから取り出し、それを、ＷＷＷサーバ１０に送信する。
【０１３６】
ＷＷＷサーバ１０の意匠図作図依頼受付け部１５は、この返信データを受け付けると、そのなかに含まれている検討済み情報５００のユーザ取得情報群のうち、サービス名「エレベータ意匠図作図サービス」に対応付けられているユーザ取得情報５０４を返信データから取り出す。そして、このユーザ取得情報５０４に含まれている各パースデータファイル名を検索キーとするデータベース検索をデータベースサーバ１２に要求する。これに応じて、データベースサーバ２０は、各検索キー（パースデータファイル名）に該当するパースデータに対応付けられた意匠図データファイルを意匠図管理データベース２１Ｆから取り出す。これらの意匠図データファイルが、建築設計者用端末６０にダウンロードされる。これにより、建築設計者は、１台または複数台のエレベータの内装に自己の要求仕様を反映させるための意匠図を得ることができる。
【０１３７】
このように、本実施の形態に係るエレベータ設計支援処理の第四段階によれば、建築設計者は、納期詳細チェック結果表示ページ上のボタン７２３をクリックしてゆくことによって、自己の建築設計中の建屋に適したエレベータ各機のリードタイムを確認することができるとともに、自己の希望納期までに各エレベータが納入可能か否かを確認することができる。さらに、建築設計者は、自己の希望納期までに納入可能なエレベータについては、何日後までに発注までに済ませる必要があるのかを事前に知ることができる。このため、建築設計者は、予定通りにエレベータの納入を受けることができる。また、自己の希望納期までに納入が困難なエレベータについては、いつであればそのエレベータが納入可能かを事前に確認することができる。このため、建築設計者は、自己の希望納期までに納入が困難なエレベータについては、現時点までに決めてある内装仕様を納期との関係で変更するべきか、現時点までに決めてある内装仕様を変更せずにエレベータ納期の方を変更すべきかを検討することができる。このような検討を行うことによって、建築設計者は、予定通りにエレベータの納入を受けることができる。
（５）第五段階（Ｓ５０００）
この第五段階（Ｓ５０００）の前半における処理のフローチャートを図２９に示す。
【０１３８】
前述の第四段階のＳ４０３０において、いずれかのエレベータの内装仕様データのなかに、特殊天井デザインタイプおよび特殊材料のうちのいずれか一方の指定が含まれていた場合、建築設計者用端末６０では、ブラウザ６１が、エレベータ意匠仕様検討ページ６９０上で設定された内装仕様データを、提供中のサービス名「エレベータ意匠図作図サービス」と案件ＩＤとに対応付けて保存する。そして、ディスプレイ装置６３に、エレベータ設計支援サイトの特殊意匠図作図依頼ページを開く。図３０に示すように、この特殊意匠図作図依頼ページ７２０上には、内装仕様データに特殊天井デザインタイプおよび特殊材質のうちの少なくとも一方の指定が含まれていたエレベータについての既定データの確認情報７２１が表示され、さらに、この確認情報７２１のうち、特殊指定に関する情報７２２の近傍には、ファイル名入力ボックス７２３が配置される。このファイル名入力ボックス７２３には、建築設計者が適当な描画ツールで作成した画像データ等が格納されたデザイン情報ファイルのファイル名が入力される。なお、図３０には、エレベータ号１機の内装仕様データに特殊天井デザインタイプ名が含まれていた場合に表示される特殊意匠図作図依頼ページ７２０上のレイアウトを示した。
【０１３９】
建築設計者は、デザイン情報ファイルの電子ファイル名を、この特殊意匠図作図依頼ページ７２０上のファイル名入力ボックス７２３に入力する必要がある。例えば、図３１に示すような特殊天井デザインをエレベータ１号機に希望している場合であれば、そのデザインの画像データおよびそのデザインの各部の材質データ等が格納されたデザイン情報ファイルのファイル名を、天井デザインタイプに関する表示情報の近傍に配置された入力ボックス７２３に入力すればよい。
【０１４０】
また、この特殊意匠図作図依頼ページ７２０上には、意匠図の希望納期（日付）を入力するための作図納期入力ボックス７２４が配置されているため、建築設計者は、作図納期入力ボックス７２４に適当なデータを入力してから、送信ボタン７２５をクリックする必要がある。
【０１４１】
さて、建築設計者が、この特殊意匠図作図依頼ページ７１０上で、各入力ボックス７２３，７２４にそれぞれ適当なデータを入力してから、送信ボタン７２５をクリックすると、確認情報７２１と各入力ボックス７２３，７２４内の設定データと案件ＩＤとを含むデータ保存要求がＷＷＷサーバ１０へ送信される（Ｓ５００１）。
【０１４２】
ＷＷＷサーバ１０のデザインイメージ生成依頼受付け部１４は、このデータ保存要求を受け付けると、それに含まれていたファイル名のデザイン情報ファイルをアップロードする。そして、このデザイン情報ファイルと、データ保存要求に含まれていた確認情報と、案件ＩＤとを含んだデータベース登録要求をデータベースサーバ１２に送信する。データベースサーバ２１は、この要求を受け付けると、それに含まれていた情報をデザイン情報管理データベース２１Ｈに登録する。その後、ＷＷＷサーバ１０にデータベース登録終了を通知する（Ｓ５００２）。
【０１４３】
ＷＷＷサーバ１０のデザインイメージ生成依頼受付け部１４は、この通知を受け取ると、案件ＩＤおよび納期を通知する意匠設計者宛て電子メールの配信をネットワーク上のメールサーバに要求する。意匠設計者は、この電子メールの内容を参照することによって、依頼案件の存在およびその納期等を知り、その後、適当な時期が到来したら、案件ＩＤを含む所定のコマンドを自己の意匠設計者用端末４０に入力する。これ応じて、意匠設計者用端末４０の要求仕様データ読込み部４１が、案件ＩＤを含むデータベース検索をデータベースサーバ２０に要求し、その案件ＩＤに対応付けられたデザイン情報ファイルおよび確認情報をデザイン情報管理データベース２１Ｈから取得する。意匠設計者は、このとき得られたデザイン情報ファイルおよび確認情報に基づき、エレベータの内装構造を決定する。そして、その決定結果に基づき、エレベータの意匠図データおよびパースデータを作成するとともに、デザイン情報ファイルに含まれていた画像が表すデザインの内装に使用する部品間の親子関係を表す部品表データを作成する。なお、デザイン情報ファイルに含まれていた画像が表すデザインの内装に標準部品以外の部品（非標準部品）を使用した場合には、意匠設計者は、このとき作成する部品表データに格納された子部品情報のうち、非標準部品の部品ＩＤを子部品ＩＤとして含む子部品情報の類似部品情報のなかに、その非標準部品に類似する標準部品の部品ＩＤ（類似部品ＩＤ　）と重み係数とを含める必要がある（Ｓ５００４）。
【０１４４】
意匠設計者は、これらの処理を終えたら、デザイン情報ファイルに含まれていた画像が表すデザインの内装をエレベータに施すための所要時間を予測し、この所要時間を、所定の規則にしたがって定めた新規なオプション仕様データと、このオプション仕様データが設定されるオプション仕様項目の名前とに対応付けて、オプション仕様標準リードタイムデータベース２１Ｂに登録する。また、意匠設計者は、完成した意匠図データおよびパースデータを、所定の規則にしたがって定めた新規な名前の電子ファイルにそれぞれ格納し、それらのファイルを、内装仕様データと部品表データともに意匠図管理データベース２１Ｅに登録する。さらに、意匠設計者は、特殊内装仕様が指定されたエレベータについて作成したパースデータのファイル名、エレベータの特殊内装仕様に関連して登録したオプション仕様データを、依頼案件ＩＤと同じ既登録案件ＩＤに対応付けて、デザイン情報管理データベース２１Ｈに登録する。最後に、依頼案件の意匠図データの完成をＷＷＷサーバ１０に通知する（Ｓ５００５）。
【０１４５】
その後の処理のフローチャート、すなわち、第五段階における後半の処理のフローチャートを図３２および図３３に示す。
【０１４６】
ＷＷＷサーバ１０のデザインイメージ生成依頼受付け部１４は、意匠設計者からの通知を受け取ると、意匠図の完成を通知する建築設計者宛て電子メールの配信をネットワーク上のメールサーバに要求する。建築設計者は、この電子メールの着信によってエレベータ意匠図データ等の完成を知ってから、再度、エレベータ設計支援サイトのエレベータ意匠仕様検討ページ６９０を開くと、その上の各ツール６９２，６９３，６９４，６９５Ａ，６９５Ｂは、案件ＩＤと提供中のサービス名「エレベータ意匠作図サービス」とに対応して保存されたエレベータ１号機の内装仕様データが設定されたときの状態となっている。すなわち、第四段階のＳ４０２０において、建築設計者が、エレベータ１号機の内装仕様データを設定したときの状態が再現されている。そして、ボタン６９６をクリックすると、その上の各ツール６９２，６９３，６９４，６９５Ａ，６９５Ｂが、今度は、案件ＩＤおよび提供中のサービス名「エレベータ意匠作図サービス」に対応付けて保存されたエレベータ２号機の内装仕様データが設定されたときの状態となる。すなわち、第四段階のＳ４０２０において、建築設計者が、エレベータ２号機の内装仕様データを設定したときの状態が再現される。建築設計者が、すべてのエレベータの内装仕様データを確認し終わると、案件ＩＤ、各エレベータのカゴ容量と、各エレベータのドア開き方向と、各エレベータの内装仕様データとを含む検索要求が建築設計者端末６０からＷＷＷサーバ１０に送信される（Ｓ５００６）。
【０１４７】
この検索要求を受け付けたＷＷＷサーバ１０のデザインイメージ生成依頼受付け部１４は、各エレベータごとに、パースデータファイルのデータベース検索をデータベースサーバ２０に要求する。具体的には、内装仕様データに特殊内装仕様の指定を含むエレベータについては、トップページ６００で入力済みの案件ＩＤを検索キーとするデータベース検索をデータベースサーバ２０に要求し、内装仕様データに特殊内装仕様の指定を含まないエレベータについては、エレベータ意匠仕様検討ページ６９０に再表示されたデータ（カゴ容量、ドア開き方向、内装仕様データ）を検索キーとするデータベース検索をデータベースサーバ２０に要求する（Ｓ５００７）。
【０１４８】
その結果、内装仕様データに特殊内装仕様の指定を含むエレベータについては、検索キー（案件ＩＤ）に対応付けられたパースデータファイル名のうち、そのエレベータについて作成されたパースデータファイル名がデザイン情報管理データベース２１Ｈから取り出され、さらに、そのパースデータファイル名のパースデータファイルが意匠図管理データベース２１Ｅから取り出される（Ｓ５００８）。一方、内装仕様データに特殊内装仕様の指定を含まないエレベータについては、カゴ容量、ドア開き方向、内装仕様データに対応付けられたパースデータファイルが意匠図管理データベース２１Ｆから取り出される（Ｓ５００９）。
【０１４９】
ＷＷＷサーバ１０のデザインイメージ生成依頼受付け部１４は、すべてのエレベータについてパースデータファイルを取得し終わると（Ｓ５０１０）、それらのパースデータファイルを建築設計者用端末６０に送信する。これにより、建築設計者用端末６０のディスプレイ装置６３上に開かれていたエレベータ意匠仕様検討ページ６９０上には、第四段階の場合と同様、エレベータ１号機についての既定の仕様データ７９１Ｄが再表示されるほか、返信データに含まれていたエレベータ１号機のパースデータ６９９がグラフィカルに表示される。建築設計者が、このエレベータ意匠仕様検討ページ６９０上でボタン６９６をクリックするごとに、表示中のパースデータ６９９等に代えて、つぎのエレベータのパースデータ６９９等が表示される。そして、最後のエレベータのパースデータ６９９等が表示されると、納期チェック指示ボタン６９７および２つのアンダーライン付き文字「Ｙ」「Ｎ」６９８がアクティブ状態となる（Ｓ５０１１）。ここで、建築設計者は、以下に示すように、エレベータの納期チェックを必要とする場合であれば、納期チェック指示ボタン６９７をクリックし、エレベータ納期チェックを必要としない場合であれば、２つのアンダーライン付き文字「Ｙ」「Ｎ」６９８のいずれか一方をクリックすればよい。
【０１５０】
エレベータ納期チェックを必要とする建築設計者が、エレベータ意匠仕様検討ページ６９０上の納期チェック指示ボタン６９７をクリックすると（Ｓ５０１２）、建築設計者用端末６０のディスプレイ装置６３には、エレベータ希望納期入力ページが開かれる。図１０（ａ）のエレベータ希望納期入力ページとは異なり、ここで開かれるエレベータ希望納期入力ページには、エレベータの希望納期を入力するための日付入力ボックス６４１ａ，６４１ｂ，６４１ｃがエレベータごとに配置されている。そこで、建築設計者が、エレベータ各号機ごとに納期を入力ボックスへ入力してから、さらにＯＫボタンをクリックすると、各入力ボックス内の設定データと、トップページ６００で入力済みの案件ＩＤと、エレベータ意匠仕様検討ページ６９０上に再表示された各エレベータの内装仕様データとを含む納期チェック要求が建築設計者用端末６０からＷＷＷサーバ１０に送信され、以下のエレベータ納期チェック処理（Ｓ５０１３）が実行される。これにより、建築設計者は、自己の要求仕様を満たす内装を有するエレベータ各機のリードタイムを知ることができる。
【０１５１】
ＷＷＷサーバ１０の納期チェック依頼受付部１６は、建築設計者用端末６０から納期チェック要求を受け付けると、この要求に含まれていた案件ＩＤを検索キーとするデータベース検索をデータベースサーバ２０に要求する。この要求に応じて、データベースサーバ２０は、検索キー（案件ＩＤ）に対応付けられた総合仕様管理情報および検討済み情報５００を顧客仕様管理データベース２１Ｃから取り出し、それらを返信する。ＷＷＷサーバ１０の納期チェック依頼受付部１６は、データベースサーバ２０からの返信データを受け付けると、その返信データに含まれていた総合仕様管理情報内の各エレベータの仕様管理情報４００をそれぞれ修正する。具体的には、エレベータ意匠仕様検討ページ６９０上で各エレベータについて設定した内装仕様データを、そのエレベータの仕様管理情報４００の所定のオプション仕様項目の仕様データ４０２に上書きする。例えば、各エレベータの仕様管理情報４００のオプション仕様項目「床材」の仕様データ４０２には、それぞれ、建築設計者がそのエレベータの床材質について選択した仕様データを上書きする。さらに、ＷＷＷサーバ１０の納期チェック依頼受付部１６は、内装仕様データに特殊内装仕様の指定を含むエレベータに関して、案件ＩＤを検索キーとするデータベース検索をデータベースサーバ２０に要求する。これに応じて、データベースサーバ２０は、検索キー（案件ＩＤ）に対応付けられたオプション仕様データをデザイン情報管理データベース２１Ｈから取り出し、それを返信する。ＷＷＷサーバ１０の納期チェック依頼受付部１６は、この返信データを受け付けると、総合仕様管理情報内の仕様管理情報のうち、内装仕様データに特殊内装仕様の指定を含むエレベータの仕様管理情報４００をさらに修正する。具体的には、エレベータの仕様管理情報４００に含まれた仕様データのうち、特殊内装仕様の指定が記述されている仕様データ４０２に、その特殊内装仕様に割り当てられたオプション仕様データを上書きする。
【０１５２】
その後、ＷＷＷサーバ１０の納期チェック依頼受付部１６は、各エレベータの仕様管理情報４００に記述されている仕様データを検索キーとするデータベース検索をデータベースサーバ２０に要求する。この要求に応じて、データベースサーバ２０は、各検索キーに対応付けられた所要時間３０１をオプション仕様標準リードタイムデータベース２１Ｂからそれぞれ取り出し、それらをＷＷＷサーバ１０に返信する。
【０１５３】
ＷＷＷサーバ１０の納期チェック依頼受付部１６は、この返信データを受付けると、その返信データに含まれていた所要時間をエレベータごとに集計する。そして、検討済み情報５００に含まれていた基本リードタイムを各集計値にそれぞれ加算し、それらの加算値を、エレベータ各機のリードタイムとする。さらに、ＷＷＷサーバ１０の納期チェック依頼受付部１６は、エレベータごとに、建築設計者用端末６０からの納期チェック要求に含まれていた納期から現在までの期間Ｔ１とリードタイムＴ２との差分Ｔ１−Ｔ２を算出する。その結果得られた差分値の符号が正であったエレベータについては、差分値分の日数の余裕があるため納期設定には問題がない旨のメッセージを生成する。これに対して、差分値の符号が負であったエレベータについては、差分値分の日数が不足するため納期設定に問題がある旨のメッセージを作成する。そして、各エレベータについて作成したメッセージを、各エレベータのリードタイムとともに建築設計者用端末６０に送信する。
【０１５４】
これにより、建築設計者用端末６０のディスプレイ装置６３上には、納期表示ページが開かれる。この納期表示ページ（図２５（ａ）参照）には、前述したように、各エレベータごとに、納期設定に関するメッセージ７０１とリードタイム７０４とが表示される。さらに、この納期表示ページ上には、エレベータ納期の詳細チェックを行うか否かを建築設計者に問うメッセージ７０２と、このメッセージ７０２に対する返答を受け付けるための２つのアンダーライン付き文字「Ｙ」「Ｎ」７０３とが配置されている。エレベータ納期の詳細チェックを必要としない建築設計者が、この納期表示ページ７００上で、２つのアンダーライン付き文字「Ｙ」「Ｎ」７０３のうちの一方の文字「Ｎ」をクリックすると、建築設計者用端末６０のディスプレイ装置６３上には、再度、意匠仕様検討ページ６９０が開かれる。その反対に、エレベータ納期の詳細チェックを必要とする建築設計者が、この納期表示ページ７００上で、２つのアンダーライン付き文字「Ｙ」「Ｎ」７０３のうちの他方の文字「Ｙ」をクリックすると、エレベータ希望納期入力ページ６４０上でエレベータごとに設定された納期と意匠仕様検討ページ６９０に表示されていた仕様データ（カゴ容量、ドア開き方向、内装仕様データ）を含む納期詳細チェック要求が建築設計者用端末６０からＷＷＷサーバ１０に送信され、前述のエレベータ納期詳細チェック処理と同様な処理が実行される。これにより、図２５（ｂ）または図２７に示すような納期詳細チェック結果表示ページ７１０が開かれる。建築設計者が、各エレベータについての納期チェック結果を順次確認しながら、最後のエレベータについての納期チェック結果が表示された納期詳細チェック結果表示ページ７１０上でボタン７１３をクリックすると、建築設計者用端末６０のディスプレイ装置６３上には、再度、エレベータ意匠仕様検討ページ６９０（図２０参照）が開かれる。
【０１５５】
一方、エレベータの納期チェックを必要としない建築設計者が、エレベータ意匠仕様検討ページ６９０上の納期チェック指示ボタン６９７をクリックせずに（Ｓ５０１２）、エレベータ意匠仕様検討ページ６９０上の２つのアンダーライン付き文字「Ｙ」「Ｎ」６９８のうちのいずれか一方の文字をクリックすると（Ｓ５０１４）、以下に示すように、クリックした文字に応じた処理が実行される。なお、エレベータの納期チェック結果を確認した建築設計者が、再表示されたエレベータ意匠仕様検討ページ６９０上の２つのアンダーライン付き文字「Ｙ」「Ｎ」６９８のうちのいずれか一方の文字をクリックした場合にも同様な処理が実行される。
【０１５６】
エレベータ意匠仕様検討ページ６９０上の一方のアンダーライン付き文字「Ｎ」がクリックされると（Ｓ５０１４）、再度、トップページ６００が建築設計者用端末６０のディスプレイ装置６３上で開かれ、それまで表示されていたエレベータパースおよび内装仕様データ等の情報が建築設計者用端末６０上から失われる（Ｓ５０１６）。したがって、例えば、エレベータの納期チェック結果の参照によって、各エレベータの内装についての要求仕様を再検討する必要があると判断した場合等には、建築設計者は、ここで、エレベータ意匠仕様検討ページ６９０上の一方のアンダーライン付き文字「Ｎ」をクリックすればよい。
【０１５７】
これに対して、エレベータ意匠仕様検討ページ６６０上の他方のアンダーライン付き文字「Ｙ」がクリックされると（Ｓ５０１４）、トップページ６００で入力済みの案件ＩＤと、各エレベータのパースデータファイル名と、エレベータ意匠仕様検討ページ６６０上で再表示された各エレベータの内装仕様データとを含むデータ保存要求が建築設計者用端末６０からＷＷＷサーバ１０に送信され、それらの情報を保存するための以下の処理（Ｓ５０１５）が実行される。したがって、ここで、表示中の各内装仕様データがその後の建築設計作業に必要と判断した場合には、建築設計者は、エレベータ意匠仕様検討ページ６９０上のアンダーライン付き文字「Ｙ」をクリックする必要がある。
【０１５８】
ＷＷＷサーバ１０の意匠図作図依頼受付け部１５は、建築設計者用端末６０からデータ保存要求を受け付けると、それに含まれていた案件ＩＤを検索キーとするデータベース検索をデータベースサーバ２０に要求する。データベースサーバ２０は、この要求を受け付けると、検索キー（案件ＩＤ）に対応付けられた総合仕様管理情報を顧客仕様管理データベース２１Ｃから取り出し、それを返信する。ＷＷＷサーバ１０の意匠図作図依頼受付け部１５は、この返信データを受け付けると、それに含まれていた案件ＩＤを検索キーとするデータベース検索をデータベースサーバ２０に要求する。この要求に応じて、データベースサーバ２０は、検索キー（案件ＩＤ）に対応付けられた総合仕様管理情報を顧客仕様管理データベース２１Ｃから取り出し、それを返信する。
【０１５９】
ＷＷＷサーバ１０の意匠図作図依頼受付け部１５は、この返信データを受け付けると、そのなかに含まれていた総合仕様管理情報内の各エレベータの仕様管理情報４００をそれぞれ修正する。具体的には、各エレベータごとに、それぞれ、データ保存要求に含まれていた内装仕様データを仕様管理情報４００の所定のオプション仕様項目の仕様データ４０２に上書きする。
【０１６０】
さらに、ＷＷＷサーバ１０の意匠図作図依頼受付け部１５は、内装仕様データに特殊内装仕様の指定を含むエレベータに関して、案件ＩＤを検索キーとするデータベース検索をデータベースサーバ２０に要求する。これに応じて、データベースサーバ２０は、検索キー（案件ＩＤ）に対応付けられたオプション仕様データをデザイン情報管理データベース２１Ｈから取り出し、それを返信する。ＷＷＷサーバ１０の意匠図作図依頼受付け部１５は、この返信データを受け付けると、総合仕様管理情報内の仕様管理情報のうち、内装仕様データに特殊内装仕様の指定を含むエレベータの仕様管理情報４００をさらに修正する。具体的には、エレベータの仕様管理情報４００に含まれた仕様データのうち、特殊内装仕様の指定が記述されている仕様データ４０２に、その特殊内装仕様に割り当てられたオプション仕様データを上書きする。
【０１６１】
その後、ＷＷＷサーバ１０の意匠図作図依頼受付け部１５は、各エレベータの仕様管理情報４００に記述されている仕様データを検索キーとするデータベース検索をデータベースサーバ２０に要求する。この要求に応じて、データベースサーバ２０は、各検索キーに対応付けられた所要時間３０１をオプション仕様標準リードタイムデータベース２１Ｂからそれぞれ取り出し、それらをＷＷＷサーバ１０に返信する。
【０１６２】
ＷＷＷサーバ１０の意匠図作図依頼受付け部１５は、この返信データを受け付けると、それに含まれていた所要時間と、その検索キーとして用いられた内装仕様データとによって、総合仕様管理情報の各仕様管理情報４００を修正する。具体的には、各エレベータごとに、それぞれ、オプション仕様標準リードタイムデータベース２１Ｂから取り出された所用時間およびその検索キーとして用いられた内装仕様データを、仕様管理情報４００の所定仕様項目の所用時間４０３および仕様データ４０３に上書きする。
【０１６３】
その後、ＷＷＷサーバ１０の意匠図作図依頼受付け部１５は、この総合仕様管理情報のデータベース登録をデータベースサーバ２０に要求する。これに応じて、データベースサーバ２０は、顧客仕様管理データベース２１Ｃに登録されている総合仕様管理情報群のうち、データ保存要求に含まれていた案件ＩＤに対応する総合仕様管理情報を、新たな総合仕様管理情報で更新する。
【０１６４】
つぎに、ＷＷＷサーバ１０の意匠図作図依頼受付け部１５は、データ保存要求に含まれていた各エレベータの情報（パースデータファイル名、内装仕様データ）と現在の日付とのデータベース登録をデータベースサーバ２０に要求する。これに応じて、データベースサーバ２０は、顧客仕様管理データベース２１Ｃに登録されている検討済み情報群のうち、データ保存要求に含まれていた案件ＩＤに対応する検討済み情報５００に、それらの情報を登録する。これにより、データ保存要求に含まれていた案件ＩＤに対応する検討済み情報５００には、サービス名「エレベータ意匠図作図サービス」５０１に対応付けられた各フィールドに、現在の日付、各エレベータの内装仕様データ（天井デザインタイプ名、材質データ、ハンドレール取付の有無等）、各エレベータのパースデータファイル名が、サービス提供日５０２、ユーザ提供情報５０３、ユーザ取得情報５０４として記述される。
【０１６５】
このようにして顧客仕様管理データベース２１Ｃのデータ更新が終了すると、その旨のメッセージが、データベースサーバ２０から、ＷＷＷサーバ１１を介して建築設計者用端末６０に送信される。このメッセージを受け付けた建築設計者用端末６０側では、据付図ダウンロードページ（図１７参照）とほぼ同様なレイアウトの意匠図ダウンロード画面が開かれる。建築設計者が、この意匠図ダウンロード画面上において、案件ＩＤ入力ボックスに案件ＩＤを入力してから、据付図データのダウンロードを指示するためのアンダーライン付き文字列をクリックすると、案件ＩＤを含む意匠図検索要求がＷＷＷサーバ１０に送信される（Ｓ５０１７）。
【０１６６】
ＷＷＷサーバ１０の意匠図作図依頼受付け部１５は、この要求を受け付けると、それに含まれていた案件ＩＤを検索キーとするデータベース検索をデータベースサーバ２０に要求する。これに応じて、データベースサーバ２０は、その案件ＩＤに対応付けられた検討仕様済み情報５００を顧客仕様管理データベース２１Ｃから取り出し、それを、ＷＷＷサーバ１０に送信する。ＷＷＷサーバ１０の意匠図作図依頼受付け部１５は、その返信データを受け付けると、そのなかに含まれている検討仕様済み情報５００のユーザ取得情報群のうち、サービス名「エレベータ意匠図作図サービス」５０１に対応付けられているユーザ取得情報５０４を取り出す。そして、このユーザ取得情報５０４に含まれている各パースデータファイル名を検索キーとするデータベース検索をデータベースサーバ１２に要求する。これに応じて、データベースサーバ２０は、各検索キー（パースデータファイル名）に該当するパースデータに対応付けられた意匠図データファイルを意匠図管理データベース２１Ｆから取り出す（Ｓ５０１８）。これらの意匠図データファイルが、建築設計者用端末６０にダウンロードされる。これにより、建築設計者は、１台または複数台のエレベータの内装に自己の希望する特殊な仕様を反映させるための意匠図を得ることができる（Ｓ５０１９）。
【０１６７】
このように、本実施の形態に係るエレベータ設計支援処理の第五段階によれば、建築設計者は、自己の建築設計中の建屋に設置するエレベータに特殊な内装を希望する場合であっても、その仕様が内装に反映されたエレベータまたはエレベータ集合体のリードタイムを知ることができるとともに、現在抱いている特殊な内装イメージをそのまま採用した場合に、エレベータまたはエレベータ集合が、自己の希望通りの納期に納入可能か否かを知ることができる。さらに、建築設計者は、自己の希望納期までに納入可能なエレベータについては、何日後までに発注までに済ませる必要があるのかを事前に知ることができる。このため、建築設計者は、予定通りにエレベータの納入を受けることができる。また、自己の希望納期までに納入が困難なエレベータについては、いつであればそのエレベータが納入可能かを事前に確認することができる。このため、建築設計者は、自己の希望納期までに納入が困難なエレベータについては、現時点までに決めてある内装仕様を納期との関係で変更するべきか、現時点までに決めてある内装仕様を変更せずにエレベータ納期の方を変更すべきかを検討することができる。このような検討を行うことによって、建築設計者は、予定通りにエレベータの納入を受けることができる。
【０１６８】
以上述べたように、本実施の形態に係るエレベータ設計支援処理によれば、エレベータの仕様が完全には決定されていない段階であっても、未決定の仕様に標準的な仕様が採用されているとの仮定のもとにおいて、エレベータのリードタイムが推定され、納期チェックが行われる。このため、建築設計者は、エレベータの仕様を決めていく各段階において、必要に応じて随時、自己が望む仕様を満たすエレベータのリードタイムとしてより現実性のある値を把握し、かつ、自己が望む仕様に対する納期設定の妥当性を知ることができる。
【０１６９】
なお、以上では、第二段階以下の処理において、前段階の処理において定められた仕様項目の仕様データもＷＷＷサーバ１０に送信されるようにしているが、前段階の処理において定められた仕様データに変更が加えられる可能性がない場合には、前段階の処理において定められた仕様データ以外の仕様データと案件ＩＤとがＷＷＷサーバ１０に送信されるようにしてもよい。前段階の処理において定められた仕様データは、案件ＩＤを検索キーとするデータベース検索によって取得することができるからである。このことは、以下においても同様である。
【０１７０】
また、以上においては、エレベータの納期チェックを必要とする場合にだけ、建築設計者が、希望納期を入力するようにしているが、必ずしも、このようにする必要はない。例えば、第１段階〜第５段階で表示されるページ上において、それぞれ、各エレベータの希望納期の入力を建築設計者に求め、その希望納期を検討済み情報のユーザ提供情報として顧客仕様管理データベースに格納するようにしてもよい。このようにした場合には、仕様の設定期限が到来した旨を電子メール等で案内することが可能となる。以下、これについて説明する。
【０１７１】
ＷＷＷサーバ１０の納期チェック依頼受付け部１６は、定期的に、全依頼案件の検討済み情報および付加情報（建築設計者のメールアドレス）の取り出しをデータベースサーバ２０に要求する。この要求に応じて、データベースサーバは、全依頼案件の検討済み情報および付加情報を顧客仕様管理データベース２１Ｃから取り出し、それらを返信する。ＷＷＷサーバ１０の納期チェック依頼受付け部１６は、データベースサーバ２０からの返信データを受け付けると、その返信データに検討済み情報が含まれていた各依頼案件ごとに、それぞれ、図３４に示した以下の処理を実行する。
【０１７２】
まず、ＷＷＷサーバ１０の納期チェック依頼受付け部１６は、サービス提供日が格納されるべきフィールドにサービス提供日が格納されていないサービス名、すなわち、未提供サービス名を検討済み情報から取り出す。このとき、未提供サービス名が取り出せなかった場合には、ＷＷＷサーバ１０の納期チェック依頼受付け部１６は、処理を終了する。
【０１７３】
一方、未提供サービス名が取り出せた場合には、ＷＷＷサーバ１０の納期チェック依頼受付け部１６は、さらに、最後に提供されたサービスのサービス名に対応付けられたユーザ提供情報５０３から希望納期を取り出す。そして、その希望納期が現在と同日または現在より過去の日付であった場合には処理を終了し、希望納期が現在よりも未来の日付であった場合には、最後に提供されたサービス以降に提供されるサービスにおいて決定されるべき未定オプション仕様項目の項目名３０２に対応付けられたオプション仕様データ３００および所要時間３０１をオプション仕様標準リードタイムデータベース２１Ｂから取り出してから（Ｓ３４０３）、さらに以下の処理を続行する。
【０１７４】
ＷＷＷサーバ１０の納期チェック依頼受付け部１６は、最後に提供されたサービス以降に提供するサービスにおいて決定される未定オプション仕様項目ごとに、Ｓ３４０３で取り出した所要時間のなかに、現在ｔ０から希望納期ｔ１までの期間ｔ１−ｔ０以下の所要時間が存在しているか否かを判断する（Ｓ３４０４）。
【０１７５】
その結果、現在ｔ０から希望納期ｔ１までの期間ｔ１−ｔ０以下となる所要時間が存在しない未定オプション仕様項目が存在していれば、希望納期に間に合わせることが可能なオプション仕様データの提案が不可能であるため、ＷＷＷサーバ１０の納期チェック依頼受付け部１６は、処理を終了する。
【０１７６】
一方、現在ｔ０から希望納期ｔ１までの期間ｔ１−ｔ０以下となる所要時間がすべての未定オプション仕様項目について存在していれば、ＷＷＷサーバ１０の納期チェック依頼受付け部１６は、そのような所要時間のなかに、現在ｔ０から希望納期ｔ１までの期間ｔ１−ｔ０との差分（（ｔ１−ｔ０）−所要時間）が所定の値Δｔ以下となる所要時間が存在しているか否かを判断する。そのような所要時間が存在していなければ、処理を終了し、そのような所要時間が存在していれば、各未定オプション仕様項目ごとに、現在ｔ０から希望納期ｔ１までの期間ｔ１−ｔ０以下の所要時間に対応付けられたオプション仕様データを取り出し、それらのオプション仕様データを、希望納期に間に合わせることが可能なオプション仕様データとして各未定オプション仕様項目ごとに保持する（Ｓ３４０５）。
【０１７７】
希望納期に間に合わせることが可能なオプション仕様データを各未定オプション仕様項目ごとに取り出すことができた場合、ＷＷＷサーバ１０の納期チェック依頼受付け部１６は、検討済み情報とともに取り出された付加情報に含まれていたメールアドレス宛ての電子メールを生成し（Ｓ３４０６）、その電子メールの配信をネットワーク上のメールサーバに依頼する（Ｓ３４０７）。この電子メールには、仕様設定期限が到来したため未定オプション仕様項目にオプション仕様データを設定する必要がある旨のメッセージと、希望納期に間に合わせることができる、各未定オプション仕様項目ごとのオプション仕様データと、が含まれている。建築設計者は、この電子メールの内容を参照することによって、希望納期に間に合わせるには未定オプション仕様項目へのオプション仕様データの設定を急ぐ必要があることを知ることができるとともに、現時点で希望納期に間に合わせることが可能なオプション仕様データを知ることができる。
【０１７８】
また、以上においては、エレベータ納期の詳細チェックの結果、建築設計者の納期設定に問題があると判明した場合には、変更納期情報が表す日付に納期を変更するか、特急料金データベース２１Ｊから取り出した加算料金を特急料金として支払う必要がある旨のメッセージを建築設計者に与えるようにしているが、その他のメッセージを建築設計者に与えるようにしてもよい。例えば、エレベータ納期の詳細チェックの結果、建築設計者の納期設定に問題があると判明したら、建築設計者の希望納期にエレベータが納入可能となる代替案があるか否かを、建築設計者からの要求に応じてチェックし、そのチェック結果を通知するメッセージを建築設計者に与えるようにしてもよい。以下、このようにする場合について説明する。
【０１７９】
このようにする場合には、建築設計者の希望納期にエレベータが納入可能となる代替案があるか否かをチェックさせるためのボタンを納期詳細チェック結果表示ページ７１０上に配置する必要がある。ここでは、そのようなボタンとして、図３５に示すように、ショップの生産計画の変更により希望納期にエレベータを納入可能か否をチェックさせるための計画変更ボタン７２０、ショップの能力アップを図ることによって希望納期にエレベータを納入可能か否かをチェックさせるための能力アップボタン７２１、希望納期にエレベータを納入可能な代替ショップを検索させるための代替ショップボタン７２２を配置することにする。
【０１８０】
そして、建築設計者の希望納期にエレベータが納入可能となるように生産スケジュールを調整可能か否かをチェックするには、エレベータ生産工程を管理する生産管理システムをエレベータ生産設備に設置する必要がある。この生産管理システムは、エレベータ生産設備内の各ショップの生産能力を管理する管理情報が格納されたデータベース、および、エレベータ生産設備内の各ショップにどの部品に関する作業がいつ何時間割り当てられているかを示す生産計画情報が格納されたデータベースを有しており、生産対象、生産数量および生産期間に関する条件を外部から与えられると、その生産にエレベータ生産設備内のどのショップをいつ割り当てるかを定めることができる。
【０１８１】
さて、建築設計者が、納期詳細チェック結果表示ページ７１０上の３つのボタン７２１，７２２，７２３をクリックすると、以下の処理が実行される。
（１）能力アップボタン７２１がクリックされた場合
納期詳細チェック結果表示ページ７１０上の能力アップボタン７２１がクリックされると、納期詳細チェック結果表示ページ７１０上の生産スケジュール表７１１を表す生産スケジュールデータおよび納期遅れ７１９を含む生産スケジュールチェック要求が、建築設計者用端末６０からＷＷＷサーバ１０に送信される。ＷＷＷサーバ１０は、この要求を受け付けると、図３６に示す以下の処理を実行する。
【０１８２】
ＷＷＷサーバ１０の納期チェック依頼受付部１６は、建築設計者用端末６０から受け付けた生産スケジュールデータから、ボトルネックとなっている工程（ボトルネック工程）を抽出する。いずれの工程がボトルネック工程であるかを生産スケジュールデータに基づき判定する方法は、特に限定しないが、ここでは、図３９に示すような、生産スケジュールデータに含まれる、クリティカルパス上の工程のうち、いずれの工程とも重複しない期間（以下、単独稼動期間と呼ぶ）ａ，ｂ，ｃを有する工程Ｘ，Ｙ，Ｚを、ボトルネック工程と判定することにする。ボトルネック工程を１以上抽出することができたら、さらに、全ボトルネック工程の単独稼動期間の総和が納期遅れ７１９以上になるか否かを判断する（Ｓ３６００）。例えば、図３９に示した生産スケジュールについてであれば、全ボトルネック工程Ｘ，Ｙ，Ｚの単独稼動期間の総和（ａ＋ｂ＋ｃ）が納期遅れＬ以上になるか否かを判断することになる。
【０１８３】
その結果、全ボトルネック工程の単独稼動期間の総和が納期遅れ７１９未満であれば、ショップの能力アップによっても希望納期に納入不可能である旨のメッセージを作成し、そのメッセージを、建築設計者用端末６０に返信する（Ｓ３６０４）。例えば、図３９に示した生産スケジュールについて、全ボトルネック工程Ｘ，Ｙ，Ｚの単独稼動期間の総和（ａ＋ｂ＋ｃ）が納期遅れＬ未満であれば、生産開始時点から現在までの期間Ｎに全生産期間をおさめることができないため、ショップの能力アップによっても希望納期に納入不可能である旨のメッセージが返信される。これにより、ＷＷＷサーバから受け付けたメッセージ（ショップの能力アップによっても希望納期に納入不可能である旨のメッセージ）が表示された代替案提案ページが、建築設計者用端末６０のディスプレイ装置上に開かれる。
【０１８４】
一方、全ボトルネック工程の単独稼動期間の総和が納期遅れ以上であれば、ショップの能力アップによって希望納期に納入できる可能性があるため、ＷＷＷサーバ１０の納期チェック依頼受付部１６は、各ボトルネック工程ごとに、生産対象部品の部品ＩＤ、生産数量、稼動期間の始点（調達手配／組立て着手期限）および終点（調達／完成期限）を生産スケジュールデータから取り出す。例えば、図３９に示した生産スケジュールについて、全ボトルネック工程Ｘ，Ｙ，Ｚの単独稼動期間の総和（ａ＋ｂ＋ｃ）が納期遅れＬ以上であれば、各ボトルネック工程Ｘ，Ｙ，Ｚごとに、生産対象部品の部品ＩＤ、生産数量、稼動期間の始点（調達手配／組立て着手期限）および終点（調達／完成期限）を生産スケジュールデータから取り出す。
【０１８５】
そして、このとき取り出した情報を、生産対象、生産数量および生産期間の条件として含む割当て要求をボトルネック工程ごとに生産管理システムに送信することによって、各ボトルネック工程ごとに、そのボトルネック工程に割り当てられたショップの、そのボトルネック工程の稼動期間内における日程計画を取得する（Ｓ３６０１）。
【０１８６】
ＷＷＷサーバ１０の納期チェック依頼受付部１６は、ボトルネック工程ごとに、そのボトルネック工程に割り当てられたショップの日程計画に日別に示された作業時間の総和が、そのボトルネック工程の稼動期間から単独稼動期間を差し引いた期間と予め定めた値（１日当たりの最大作業時間）との積以下であるか否かを判断する。すなわち、各ボトルネック工程ごとに、そのボトルネック工程の１日当たりの作業時間を増加させることによって、そのボトルネック工程の稼動期間を単独稼動期間分短縮することができるか否かを判断する（Ｓ３６０２）。例えば、図３９に示した生産スケジュールについてであれば、各ボトルネック工程Ｘ，Ｙ，Ｚの稼動期間をそれぞれ単独稼動期間ａ，ｂ，ｃ分短縮することができるか否かを判断する。
【０１８７】
その結果、いずれかのボトルネック工程の総作業時間が、そのボトルネック工程の稼動期間から単独稼動期間を差し引いた期間と予め定めた値（１日当たりの最大作業時間）との積を超えていた場合（単独稼動期間分短縮できない場合）には、ショップの能力アップによっても希望納期に納入不可能である旨のメッセージを作成し、そのメッセージを、建築設計者端末６０に返信する（Ｓ３６０４）。これにより、ＷＷＷサーバから受け付けたメッセージ（ショップの能力アップによっても希望納期に納入不可能である旨のメッセージ）が表示された代替案提案ページが建築設計者用端末６０のディスプレイ装置上で開かれる。
【０１８８】
一方、各ボトルネック工程の作業時間の総和が、そのボトルネック工程の稼動期間から単独稼動期間を差し引いた期間と予め定めた値（１日当たりの最大作業時間）との積以下の場合（稼動期間を単独稼動期間分短縮できる場合）には、ショップの能力アップによって希望納期に納入可能である旨のメッセージを作成するとともに、各ボトルネック工程の稼動期間を単独稼動期間だけ短くした生産スケジュール表を代替案として生成する。例えば、図３９に示した生産スケジュールの各ボトルネック工程Ｘ，Ｙ，Ｚの稼動期間をそれぞれの単独稼動期間分短縮できる場合には、現在から納期までの期間Ｎに全生産期間をおさめることができるため、ショップの能力アップによって希望納期に納入可能である旨のメッセージおよび生産スケジュール表の代替案が生成される。
【０１８９】
そして、そのメッセージおよび代替案を表す生産スケジュールデータを、建築設計者用端末６０に返信する（Ｓ３６０３）。これにより、建築設計者用端末６０のディスプレイ上には、代替案提案ページが表示される。この代替案提案ページには、ＷＷＷサーバから受け付けたメッセージ（ショップの能力アップによって希望納期に納入可能である旨のメッセージ）と、ＷＷＷサーバから受け付けた生産スケジュールデータが表す代替案（希望納期に間に合わせるための生産スケジュール表）とが表示される。
【０１９０】
このような処理によれば、建築設計者は、希望納期を変更すべきか否か決定する前に、代替案提案ページ上の表示内容を参照することによって、ショップの能力アップにより希望納期にエレベータを納入可能か否かを知ることができる。したがって、ショップの能力アップにより希望納期にエレベータを納入可能か否かも考慮に入れて、希望納期を変更すべきか否かの最終決定を行うことができる。（２）計画変更ボタン７２０がクリックされた場合
納期詳細チェック結果表示ページ７１０上の計画変更ボタン７２０がクリックされると、納期詳細チェック結果表示ページ７１０上の生産スケジュール表７１１を表す生産スケジュールデータおよび納期遅れ７１９を含む生産スケジュールチェック要求が、建築設計者用端末６０からＷＷＷサーバ１０に送信される。ＷＷＷサーバ１０は、この要求を受け付けると、図３８に示す以下の処理を実行する。
【０１９１】
ＷＷＷサーバ１０の納期チェック依頼受付部１６は、建築設計者用端末６０から受け付けた生産スケジュールデータから、ボトルネック工程を抽出する（Ｓ３８００）。なお、ここで抽出されるボトルネック工程は、上述の処理Ｓ３６００において抽出されるボトルネック工程と同様な工程である。
【０１９２】
全ボトルネック工程の単独稼動期間の総和が納期遅れ７１９未満であれば、ショップの生産計画を変更しても希望納期に納入不可能である旨のメッセージを作成し、そのメッセージを、建築設計者用端末６０に返信する（Ｓ３８０５）。これにより、ＷＷＷサーバから受け付けたメッセージ（ショップの生産計画を変更しても希望納期に納入不可能である旨のメッセージ）が表示された代替案提案ページが建築設計者用端末６０のディスプレイ装置上で開かれる。
【０１９３】
一方、全ボトルネック工程の単独稼動期間の総和が納期遅れ以上であれば、ＷＷＷサーバ１０の納期チェック依頼受付部１６は、各ボトルネック工程ごとに、稼動期間の始点（調達手配／組立て着手期限）および終点（調達／完成期限）、生産対象部品の部品ＩＤおよび使用数量を生産スケジュールデータから取り出す。そして、このとき取り出した情報を、生産対象、生産期間および生産数量に関する条件として含む割当て要求をボトルネック工程ごとに生産管理システムに送信する、これによって、各ボトルネック工程ごとに、そのボトルネック工程に割り当てられたショップの、そのボトルネック工程の稼動期間内における日程計画を取得する（Ｓ３８０１）。
【０１９４】
ＷＷＷサーバ１０の納期チェック依頼受付部１６は、各ボトルネック工程ごとに、そのボトルネック工程に割り当てられたショップの日程計画に、そのボトルネック工程以外の工程に割り当てられた作業時間が納期遅れ７１９以上含まれているか否かを判断する。すなわち、延長可能なジョブであって、納期遅れ７１９以上の作業時間を要するものが、各ボトルネック工程に割り当てられたショップに存在している否かを判断する（Ｓ３８０２）。
【０１９５】
その結果、ボトルネック工程以外の他の工程に割り当てられた作業時間が納期遅れ７１９未満となる日程計画が存在していた場合（納期遅れ以上の作業時間を要する延長可能ジョブが、いずれかの日程計画に存在していない場合）には、ショップの生産計画を変更しても希望納期に納入不可能である旨のメッセージを作成し、そのメッセージを、建築設計者用端末６０に返信する（Ｓ３８０５）。これにより、代替案提案ページが表示される。この代替案提案ページには、ＷＷＷサーバから受け付けたメッセージ（ショップの生産計画を変更しても希望納期に納入不可能である旨のメッセージ）が建築設計者用端末６０のディスプレイ装置上で開かれる。
【０１９６】
一方、ボトルネック工程に割り当てられた全ショップの日程計画に、ボトルネック工程以外の工程に割り当てられた作業時間が納期遅れ以上含まれていた場合（納期遅れ以上の作業時間を要する延長可能ジョブが、すべての日程計画に存在していた場合）には、ボトルネック工程に割り当てられた各ショップの日程計画から、それぞれ、他の工程がショップで行われる期間の始点および終点、生産対象部品の部品ＩＤおよび生産数量を取り出す。このとき取り出した情報を、生産期間、生産対象および生産数量の条件として含む割当て要求をボトルネック工程ごとに生産管理システムに送信することによって、ボトルネック工程ごとに、そのボトルネック工程の稼動期間内にそのボトルネック工程と同じショップに割り当てられた他の工程を割り当てることができるショップの日程計画を取得する。このとき各ボトルネック工程ごとに得られた日程計画のなかに、それぞれ、ボトルネック工程に割り当てられたショップとは異なるショップの日程計画が含まれているか否かを判断する（Ｓ３８０２）。
【０１９７】
その結果、各ボトルネック工程ごとに得られた日程計画のなかに、それぞれ、ボトルネック工程に割り当てられたショップとは異なるショップの日程計画が含まれていたら、延長可能ジョブの飛ばし先ありと判断し、ショップの計画変更によって希望納期に納入可能である旨のメッセージを作成するとともに、各ボトルネック工程の稼動期間を単独稼動期間だけ短くした生産スケジュール表を表す生産スケジュールデータを生成する。そして、このメッセージおよび生産スケジュールデータを、建築設計者用端末６０に返信する（Ｓ３８０４）。これにより、建築設計者用端末６０のディスプレイ上には、代替案提案ページが表示される。この代替案提案ページには、ＷＷＷサーバから受け付けたメッセージ（ショップの計画変更によって希望納期に納入可能である旨のメッセージ）と、ＷＷＷサーバから受け付けた生産スケジュールデータが表す生産スケジュール表とが表示される。
【０１９８】
一方、いずれかのボトルネック工程について得られた日程計画のなかに、ボトルネック工程に割り当てられたショップとは異なるショップの日程計画が含まれていなければ、延長可能ジョブの飛ばし先なしと判断し、ショップの計画変更によっても希望納期に納入不可能である旨のメッセージを作成する。そして、そのメッセージおよび生産スケジュールデータを、建築設計者用端末６０に返信する（Ｓ３８０５）。これにより、ＷＷＷサーバから受け付けたメッセージ（ショップの計画変更によっても希望納期に納入不可能である旨のメッセージ）が表示された代替案提案ページが建築設計者用端末６０のディスプレイ装置上に開かれる。
【０１９９】
このような処理によれば、建築設計者は、希望納期を変更すべきか否か決定する前に、代替案提案ページ上の表示内容を参照することによって、ショップの計画変更により希望納期にエレベータを納入可能か否を知ることができる。したがって、ショップの計画変更により希望納期にエレベータを納入可能か否かも考慮に入れて、希望納期を変更すべきか否かの最終決定を行うことができる。
（３）代替ショップボタン７２２がクリックされた場合
納期詳細チェック結果表示ページ７１０上の代替ショップボタン７２２がクリックされると、納期詳細チェック結果表示ページ７１０上の生産スケジュール表７１１を表す生産スケジュールデータおよび納期遅れを含んだ生産スケジュールチェック要求が、建築設計者用端末６０からＷＷＷサーバ１０に送信される。ＷＷＷサーバ１０は、この要求を受け付けると、図３７に示す以下の処理を実行する。
【０２００】
ＷＷＷサーバ１０の納期チェック依頼受付部１６は、建築設計者用端末６０から受け付けた生産スケジュールデータから、ボトルネック工程を抽出する（Ｓ３７０１）。なお、ここで抽出されるボトルネック工程は、上述の処理Ｓ３６００において抽出されるボトルネック工程と同様な工程である。
【０２０１】
ボトルネック工程を１以上抽出することができたら、ＷＷＷサーバ１０の納期チェック依頼受付部１６は、ボトルネック工程ごとに、稼動期間、生産対象部品の部品ＩＤおよび生産数量を生産スケジュールから取り出す。そして、ＷＷＷサーバ１０の納期チェック依頼受付部１６は、ボトルネック工程ごとに、このとき取り出した生産対象および生産数量を生産対象および生産数量に関する条件として含み、かつ、このとき取り出した稼動期間内に包含されることを生産期間の条件として含む割当て要求を生産管理システムに送信する（Ｓ３７０２）。すなわち、ＷＷＷサーバ１０の納期チェック依頼受付部１６は、ボトルネック工程の稼動期間内に、ボトルネック工程の稼動期間よりも短期間で、ボトルネック工程の生産対象と同じ部品を必要数量だけ生産することができるショップ（代替ショップ）の検索を生産管理システムに要求する。
【０２０２】
その結果、いずれかのボトルネック工程について代替ショップの日程計画を取得することができなければ（Ｓ３７０３）、ＷＷＷサーバ１０の納期チェック依頼受付部１６は、さらに、そのボトルネック工程に上位工程が存在するか否かを生産スケジュール表に基づき判断する（Ｓ３７０６）。
【０２０３】
このとき、代替ショップの検索に失敗したボトルネック工程に上位工程が存在していれば、ＷＷＷサーバ１０の納期チェック依頼受付部１６は、その上位工程を、代替ショップの日程計画を取得できなかったボトルネック工程に代わるボトルネック工程として設定してから（Ｓ３７０７）、Ｓ３７０２以降の処理を実行する。
【０２０４】
また、代替ショップの検索に失敗したボトルネック工程に上位工程が存在していなければ、ＷＷＷサーバ１０の納期チェック依頼受付部１６は、希望納期に納入可能とする代替ショップが存在しない旨のメッセージを作成し、そのメッセージを、建築設計者端末６０に返信する（Ｓ３７０８）。これにより、ＷＷＷサーバから受け付けたメッセージ（希望納期に納入可能とする代替ショップが存在しない旨のメッセージ）が表示された代替案提案ページが建築設計者用端末６０のディスプレイ装置上に開かれる。
【０２０５】
一方、全ボトルネック工程について代替ショップの日程計画を１以上取得することができれば（Ｓ３７０３）、ＷＷＷサーバ１０の納期チェック依頼受付部１６は、各ボトルネック工程ごとに、それぞれ、そのボトルネック工程と生産対象と同じ部品が代替ショップで生産される期間の終点を代替ショップの日程計画から取り出し、そのボトルネック工程に代替ショップを適用することにより実現される短縮期間を算出する。具体的には、各ボトルネック工程ごとに、それぞれ、そのボトルネック工程と生産対象と同じ部品が代替ショップで生産される期間の終点とそのボトルネック工程の稼動期間の終点との間の期間を、そのボトルネック工程に代替ショップを適用することにより実現される短縮期間として算出する。このように、各ボトルネック工程ごとに、代替ショップの適用により実現される短縮期間が得られたら、それらの短縮期間のなかに、各ボトルネック工程について得られた短縮期間を１つずつ含み、かつ、和が納期遅れ以上となる組み合わせあるか否かを判断する。なお、ボトルネック工程が１つの場合には、そのボトルネック工程について得られた短縮時間のなかに、納期遅れ以上のものがあるか否かを判断する（Ｓ３７０４）。
【０２０６】
その結果、そのような短縮期間の組み合わせが存在していれば、ＷＷＷサーバ１０の納期チェック依頼受付部１６は、その組み合わせに含まれる短縮期間およびそれら短縮期間を実現する代替ショップの名前を、納期遅れ挽回可能な代替ショップ案として建築設計者用端末６０に返信する。なお、ボトルネック工程が１つの場合には、納期遅れ以上の短縮期間およびその短縮期間を実現する代替ショップの名前を、納期遅れ挽回可能な代替ショップ案として建築設計者用端末６０に返信する（Ｓ３７０９）。これにより、建築設計者用端末６０のディスプレイ装置上では、図３７に示すように、納期遅れを挽回可能な代替ショップ案３７０１が表示された代替案提案ページ３７００が開かれる。
【０２０７】
その反対に、そのような短縮期間の組み合わせが存在していなければ、ＷＷＷサーバ１０の納期チェック依頼受付部１６は、すべてのボトルネック工程に上位工程が存在しているか否かを、生産スケジュール表に基づき判断する（Ｓ３７０６）。その結果、すべてのボトルネック工程に上位工程が存在していれば、ＷＷＷサーバ１０の納期チェック依頼受付部１６は、それらの上位工程を、各ボトルネック工程に代わるボトルネック工程として設定してから（Ｓ３７０７）、Ｓ３７０２以降の処理を実行する。また、いずれかのボトルネック工程に上位工程が存在していなければ、ＷＷＷサーバ１０の納期チェック依頼受付部１６は、希望納期に納入可能とする代替ショップが存在しない旨のメッセージを作成し、そのメッセージを、建築設計者端末６０に返信する（Ｓ３７０８）。これにより、ＷＷＷサーバから受け付けたメッセージ（希望納期に納入可能とする代替ショップが存在しない旨のメッセージ）が表示された代替案提案ページが、建築設計者用端末６０のディスプレイ装置上で開かれる。
【０２０８】
このような処理によれば、建築設計者は、希望納期を変更すべきか否かを決定する前に、代替案提案ページ上の表示内容を参照することによって、希望納期に納入可能とする代替ショップが存在しているか否かを知ることができる。このため、希望納期に納入可能とする代替ショップが存在しているか否かも考慮に入れて、希望納期を変更すべきか否かの最終決定を行うことができる。
【０２０９】
【発明の効果】
本発明によれば、希望通りの製品の入手を希望する依頼者とそれを受注する業者とのあいだの一連の取引手続をネットワーク経由で行うことができる上、依頼者は、完成品イメージが詳細化されていない段階であっても、完成品が希望納期に納入可能か否かを知ることができる。
【図面の簡単な説明】
【図１】本発明の一実施形態に係るネットワークシステムの概略構成図である。
【図２】本発明の一実施形態に係るエレベータ機種・基本リードタイム・台数計画マップのデータ構造の概念図である。
【図３】本発明の一実施形態に係るオプション仕様標準リードタイムデータベースのデータ構造を概念的に示した図である。
【図４】本発明の一実施形態に係る顧客仕様管理データベースに登録される総合仕様管理情報内の仕様管理情報のデータ構造を概念的に示した図である。
【図５】本発明の一実施形態に係る顧客仕様管理データベースに登録される検討済みのデータ構造を概念的に示した図である。
【図６】本発明の実施の一形態に係る設計支援処理のフローチャート図である。
【図７】図６のＳ１０００における処理のフローチャート図である。
【図８】建築設計者用端末の表示画面上に開かれる一連のＷＷＷページのうち、トップページのレイアウト例を示した図である。
【図９】建築設計者用端末の表示画面上に開かれる一連のＷＷＷページのうち、建築設計者がエレベータ機種・台数計画提供サービスを受けるときのページの変化を示した図である。
【図１０】（ａ）は、建築設計者用端末の表示画面上に開かれる一連のＷＷＷページのうち、エレベータの希望納期を建築設計者に入力させるためのＷＷＷページの一例であり、（ｂ）は、建築設計者用端末の表示画面上に開かれる一連のＷＷＷページのうち、エレベータの納期を建築設計者に回答するためのＷＷＷページの一例であり、を示した図である。
【図１１】図６のＳ２０００における処理のフローチャート図である。
【図１２】建築設計者用端末の表示画面上に開かれる一連のＷＷＷページのうち、建築設計者がエレベータＣＡＤシンボル提供サービスを受けるためのページのレイアウト例を示した図である。
【図１３】建築設計者用端末の表示画面上に開かれる一連のＷＷＷページのうち、建築設計者に提供されたエレベータＣＡＤシンボルを表示するページのレイアウト例を示した図である。
【図１４】図１１のＳ２６００における処理のフローチャート図である。
【図１５】図６のＳ３０００における処理のフローチャート図である。
【図１６】建築設計者用端末の表示画面上に開かれる一連のＷＷＷページのうち、建築設計者がエレベータ据付図作図サービスを受けるためのページのレイアウト例を示した図である。
【図１７】建築設計者用端末の表示画面上に開かれる一連のＷＷＷページのうち、建築設計者に提供されたエレベータ据付図をダウンロードするためのページのレイアウト例を示した図である。
【図１８】図６のＳ４０００における処理のフローチャート図である。
【図１９】建築設計者用端末の表示画面上に開かれる一連のＷＷＷページのうち、建築設計者がエレベータ意匠図作図サービスを受けるためのページのレイアウト例を示した図である。
【図２０】建築設計者用端末の表示画面上に開かれる一連のＷＷＷページのうち、建築設計者に提供されたエレベータパースデータを表示するページのレイアウト例を示した図である。
【図２１】本発明の一実施形態に係る部品管理データベースのデータ構造を概念的に示した図である。
【図２２】エレベータの部品表が表す親子関係を概念的に示した図である。
【図２３】本発明の実施の一形態に係る部品表データのデータ構造を概念的に示した図である。
【図２４】図１８のＳ４０７０Ｃで実行される納期詳細チェック処理のフローチャート図である。
【図２５】（ａ）は、建築設計者用端末の表示画面上に開かれる一連のＷＷＷページのうち、エレベータの納期を建築設計者に回答するためのＷＷＷページの一例を示した図であり、（ｂ）は、建築設計者用端末の表示画面上に開かれる一連のＷＷＷページのうち、エレベータの納期の詳細チェック結果を建築設計者に提示するためのＷＷＷページの一例を示した図である。
【図２６】本発明の一実施形態に係る　特急料金データベースのデータ構造を概念的に示した図である。
【図２７】建築設計者用端末の表示画面上に開かれる一連のＷＷＷページのうち、エレベータの納期の詳細チェック結果を建築設計者に提示するためのＷＷＷページの一例を示した図である。
【図２８】建築設計者用端末の表示画面上に開かれる一連のＷＷＷページのうち、エレベータの納期の詳細チェック結果を建築設計者に提示するためのＷＷＷページの一例を示した図である。
【図２９】図６のＳ５０００における処理のフローチャート図である。
【図３０】建築設計者用端末の表示画面上に開かれる一連のＷＷＷページのうち、建築設計者がエレベータ意匠図作図サービスを受けるためのページのレイアウト例を示した図である。
【図３１】エレベータ意匠図作成に利用されるデザイン情報ファイルに格納されるデータ例を示した図である。
【図３２】図６のＳ５０００における処理のフローチャート図である。
【図３３】図６のＳ５０００における処理のフローチャート図である。
【図３４】本発明の実施の一形態に係る、仕様設定期限の到来通知処理のフローチャート図である。
【図３５】建築設計者用端末の表示画面上に開かれる一連のＷＷＷページのうち、エレベータの納期の詳細チェック結果を建築設計者に提示するためのＷＷＷページの一例を示した図である。
【図３６】ショップの能力アップを図ることによって希望納期にエレベータを納入可能か否かのチェック処理のフローチャート図である。
【図３７】希望納期にエレベータを納入可能な代替ショップの検索処理のフローチャート図である。
【図３８】ショップの生産計画の変更により希望納期にエレベータを納入可能か否のチェック処理のフローチャート図である。
【図３９】図３６の処理を説明するためのガントチャートの一例である。
【符号の説明】
１０…ＷＷＷサーバ
１１…機種・台数計画依頼受付け部
１２…シンボル提供依頼受付け部
１３…据付図作図依頼受付け部
１４…デザインイメージ生成依頼受付け部
１５…意匠図作図依頼受付け部
１６…納期チェック依頼受付け部
２０…データベースサーバ
３０，４０…設備設計者のユーザ端末
６０…建築設計者のユーザ端末
【図１】
2004094340.tif 000003
【図２】
2004094340.tif 000004
【図３】
2004094340.tif 000005
【図４】
2004094340.tif 000006
【図５】
2004094340.tif 000007
【図６】
2004094340.tif 000008
【図７】
2004094340.tif 000009
【図８】
2004094340.tif 000010
【図９】
2004094340.tif 000011
【図１０】
2004094340.tif 000012
【図１１】
2004094340.tif 000013
【図１２】
2004094340.tif 000014
【図１３】
2004094340.tif 000015
【図１４】
2004094340.tif 000016
【図１５】
2004094340.tif 000017
【図１６】
2004094340.tif 000018
【図１７】
2004094340.tif 000019
【図１８】
2004094340.tif 000020
【図１９】
2004094340.tif 000021
【図２０】
2004094340.tif 000022
【図２１】
2004094340.tif 000023
【図２２】
2004094340.tif 000024
【図２３】
2004094340.tif 000025
【図２４】
2004094340.tif 000026
【図２５】
2004094340.tif 000027
【図２６】
2004094340.tif 000028
【図２７】
2004094340.tif 000029
【図２８】
2004094340.tif 000030
【図２９】
2004094340.tif 000031
【図３０】
2004094340.tif 000032
【図３１】
2004094340.tif 000033
【図３２】
2004094340.tif 000034
【図３３】
2004094340.tif 000035
【図３４】
2004094340.tif 000036
【図３５】
2004094340.tif 000037
【図３６】
2004094340.tif 000038
【図３７】
2004094340.tif 000039
【図３８】
2004094340.tif 000040
【図３９】
2004094340.tif 000041